(57)【要約】【課題】  簡単な構成で人体洗浄ノズルの衛生状態を十分に確保することが可能なノズル装置およびそれを備える衛生洗浄装置を提供する。【解決手段】  ノズル部のおしりノズルを構成するシリンダの先端側には、略円筒形状に形成されたノズル洗浄筒２６が一体形成されている。ノズル洗浄筒２６の内部にはピストン２０が収納される。ノズル洗浄筒２６の断面は略円状に形成されて、ノズル洗浄筒２６の上面にはノズル洗浄孔２６ｈが設けられている。ノズル洗浄孔２６ｈから噴出される洗浄水は、ピストン２０の外周面に沿って、ノズル洗浄筒２６の内壁とピストン２０の外周面との間の空間をスパイラル状に旋回しつつ、ノズル洗浄筒２６の先端開口部から流出する。【選択図】        図１６
2005030093.tif 000002
【特許請求の範囲】
【請求項１】
人体の局部に洗浄水を噴出する噴出孔を有する筒状の人体洗浄ノズルと、
前記人体洗浄ノズルの外周面を取り囲む略円筒状の内周面を有するノズル洗浄部材とを備え、
前記人体洗浄ノズルは、前記ノズル洗浄部材内に収納および前記ノズル洗浄部材から突出可能に設けられ、
前記ノズル洗浄部材は、人体洗浄ノズルの外周面と前記ノズル洗浄部材の内周面との間の環状空間に洗浄水を導入してスパイラル状に旋回させるための洗浄水導入孔を有することを特徴とするノズル装置。
【請求項２】
前記人体洗浄ノズルは、
円筒状の内周面を有するシリンダ部と、
前記シリンダ部内に収容および前記シリンダ部から突出可能でかつ先端部に前記噴出孔を有する円筒状のピストン部とを含み、
前記ノズル洗浄部材は、前記シリンダ部内への前記ピストン部の収納状態で前記ピストン部の先端部近くを取り囲むように設けられ、
前記ピストン部は、前記ノズル洗浄部材内で揺動可能に前記シリンダ部に取付けられたことを特徴とする請求項１記載のノズル装置。
【請求項３】
前記ピストン部は、
洗浄水を前記噴出孔に導く第１の流路を形成する管路と、
前記噴出孔を有し、前記管路を取り囲むように設けられかつ先端部が閉じられ、前記管路との間に洗浄水を前記噴出孔に導く第２の流路を形成する筒状のカバー部材と、
前記管路の先端に設けられるとともに孔部を有し、前記第１の流路から供給される洗浄水と前記第２の流路から供給される洗浄水とを合流させて前記孔部に導く噴出部材とを備えたことを特徴とする請求項２記載のノズル装置。
【請求項４】
前記カバー部材の先端部は、略半球形状を有することを特徴とする請求項３記載のノズル装置。
【請求項５】
前記カバー部材は、一体的に形成された周壁部および先端部を有することを特徴とする請求項３または４記載のノズル装置。
【請求項６】
前記カバー部材は、金属よりなることを特徴とする請求項３〜５のいずれかに記載のノズル装置。
【請求項７】
前記噴出孔は、前記孔部よりも大きい内径を有することを特徴とする請求項３〜６のいずれかに記載のノズル装置。
【請求項８】
前記人体洗浄ノズルの外周面と前記ノズル洗浄部材の内周面との間の隙間は、洗浄水導入孔の直径よりも大きいことを特徴とする請求項１〜７のいずれかに記載のノズル装置。
【請求項９】
前記洗浄水導入孔は、前記ノズル洗浄部材内に導入される洗浄水が前記人体洗浄ノズルの外周面に対して略接線方向に噴出可能に設けられたことを特徴とする請求項１〜８のいずれかに記載のノズル装置。
【請求項１０】
前記人体洗浄ノズルの収納時に前記人体洗浄ノズルの先端部が前記ノズル洗浄部材から突出していることを特徴とする請求項１〜９のいずれかに記載のノズル装置。
【請求項１１】
前記ノズル洗浄部材の先端部の前記噴出孔の近傍に切り欠きが設けられたことを特徴とする請求項１〜１０のいずれかに記載のノズル装置。
【請求項１２】
前記ノズル洗浄部材の先端部の上面側に設けられ、前記ノズル洗浄部材の先端部を覆うように形成される洗浄水飛散防止片をさらに備えることを特徴とする請求項１〜１１のいずれかに記載のノズル装置。
【請求項１３】
前記洗浄水導入孔の径は約０．７ｍｍ以上１．０ｍｍ以下であることを特徴とする請求項１〜１２のいずれかに記載のノズル装置。
【請求項１４】
前記人体洗浄ノズルは、それぞれ前記噴出孔を有する筒状の複数の人体洗浄ノズルを含み、
前記ノズル洗浄部材は、前記複数の人体洗浄ノズルの外周面をそれぞれ取り囲む複数のノズル洗浄部材を含むことを特徴とする請求項１〜１３のいずれかに記載のノズル装置。
【請求項１５】
給水源から供給される洗浄水を人体に噴出する衛生洗浄装置であって、
請求項１〜１４のいずれかに記載のノズル装置と、
前記ノズル装置の前記人体洗浄ノズルに洗浄水を供給する第１の洗浄水供給手段と、
前記ノズル装置の前記洗浄水導入孔に洗浄水を供給する第２の洗浄水供給手段とを備えたことを特徴とする衛生洗浄装置。
【請求項１６】
前記第２の洗浄水供給手段は、前記人体洗浄ノズルが前記ノズル洗浄部材から突出する前に洗浄水を前記洗浄水導入孔に供給し、前記人体洗浄ノズルが前記ノズル洗浄部材に収容された後に洗浄水を前記洗浄水導入孔に供給することを特徴とする請求項１５記載の衛生洗浄装置。
【請求項１７】
給水源から供給される洗浄水を瞬間的に加熱する加熱装置をさらに備え、
前記第２の洗浄水供給手段は、
前記加熱装置により加熱された洗浄水を前記洗浄水導入孔に供給することを特徴とする請求項１５または１６記載の衛生洗浄装置。
【請求項１８】
前記加熱装置により加熱された洗浄水は蒸気であることを特徴とする請求項１７記載の衛生洗浄装置。
【請求項１９】
便座部と、
前記便座部上の人体の有無を検出する人体検出センサと、
前記人体検出センサの出力に基づいて前記第２の洗浄水供給手段による前記洗浄水導入孔への洗浄水の供給を制御する制御部とをさらに備え、
前記制御部は、前記人体検出センサが人体を検出した場合に前記加熱装置により加熱された洗浄水を前記洗浄水導入孔へ供給しないことを特徴とする請求項１７または１８記載の衛生洗浄装置。
【請求項２０】
給水源から供給される洗浄水の一部または全てを外部に排出可能な分岐配管をさらに備え、
前記第２の洗浄水供給手段は、前記分岐配管を流れる洗浄水の少なくとも一部を前記洗浄水導入孔へ供給することを特徴とする請求項１５〜１９のいずれかに記載の衛生洗浄装置。
【発明の詳細な説明】
【技術分野】
【０００１】
本発明は、人体の局部を洗浄する人体洗浄ノズルを洗浄するノズル洗浄装置およびそれを備える衛生洗浄装置に関する。
【背景技術】
【０００２】
人体の局部を洗浄する衛生洗浄装置においては、衛生洗浄装置自体の衛生状態を確保するため、各種機能が案出されてきた。例えば、人体の局部を洗浄する洗浄ノズル（以下、人体洗浄ノズルと呼ぶ。）をさらに洗浄する機能等である。
【０００３】
人体洗浄ノズルを洗浄する機能によれば、人体の局部の洗浄により人体洗浄ノズル自体に付着する汚れが洗浄される。これにより、使用者は、清潔な人体洗浄ノズルから噴出される洗浄水で局部を洗浄することができる。
【０００４】
従来、人体洗浄ノズルの洗浄は、単に人体洗浄ノズルの先端（洗浄水噴出部）に洗浄水を流す程度のものであったが、近年では、人体洗浄ノズルをより清潔に保つため、様々な洗浄方法が提案されている。
【０００５】
例えば、人体洗浄ノズルの先端部にクリーニングチャンバを設け、洗浄水を噴出する衛生洗浄装置が提案されている（例えば、特許文献１参照）。
【０００６】
また、人体洗浄ノズルの先端部に羽根手段を設けたノズル装置も提案されている。このノズル装置においては、羽根手段に洗浄水が供給される。これにより、羽根手段が人体洗浄ノズルの先端部に対して摺動回転する。その結果、人体洗浄ノズルの先端部（洗浄水噴出部）が洗浄される（例えば、特許文献２参照）。
【特許文献１】特開２００３−１３４８１号公報
【特許文献２】特許２９９５９３２号公報
【発明の開示】
【発明が解決しようとする課題】
【０００７】
上記の衛生洗浄装置では、クリーニングチャンバ内に噴出された洗浄水がクリーニングチャンバの内壁で跳ね返ることによりノズルヘッドを洗浄する。この場合、人体洗浄ノズルの先端部に洗浄水が噴出されるにすぎず、局所的な洗浄しか行われない。また、上記の羽根手段を設けたノズル装置では、構成が複雑となっている。
【０００８】
本発明の目的は、簡単な構成で人体洗浄ノズルの衛生状態を十分に確保することが可能なノズル装置およびそれを備える衛生洗浄装置を提供することである。
【課題を解決するための手段】
【０００９】
従来の課題を解決するために、本発明に係るノズル装置は、人体の局部に洗浄水を噴出する噴出孔を有する筒状の人体洗浄ノズルと、人体洗浄ノズルの外周面を取り囲む円筒状の内周面を有するノズル洗浄部材とを備え、人体洗浄ノズルは、ノズル洗浄部材内に収納およびノズル洗浄部材から突出可能に設けられ、ノズル洗浄部材は、人体洗浄ノズルの外周面とノズル洗浄部材の内周面との間の環状空間に洗浄水を導入してスパイラル状に旋回させるための洗浄水導入孔を有するものである。
【００１０】
本発明に係るノズル装置においては、人体洗浄ノズルにより人体の局部に洗浄水が噴出される。また、ノズル洗浄部材の洗浄水導入孔から人体洗浄ノズルの外周面とノズル洗浄部材の内周面との間の環状空間に洗浄水が導入され、環状空間をスパイラル状に旋回する。それにより、人体洗浄ノズルの外周面の広い範囲が効果的に洗浄される。したがって、人体洗浄ノズルの衛生状態を十分に確保することができる。
【００１１】
また、人体洗浄ノズルの外周面とノズル洗浄部材の内周面との間の環状空間に洗浄水を導入することにより人体洗浄ノズルの洗浄が行われるので、構成が簡単である。
【発明の効果】
【００１２】
本発明に係るノズル装置においては、人体洗浄ノズルにより人体の局部に洗浄水が噴出される。また、ノズル洗浄部材の洗浄水導入孔から人体洗浄ノズルの外周面とノズル洗浄部材の内周面との間の環状空間に洗浄水が導入され、環状空間をスパイラル状に旋回する。それにより、人体洗浄ノズルの外周面の広い範囲が効果的に洗浄される。したがって、人体洗浄ノズルの衛生状態を十分に確保することができる。
【００１３】
また、人体洗浄ノズルの外周面とノズル洗浄部材の内周面との間の環状空間に洗浄水を導入することにより人体洗浄ノズルの洗浄が行われるので、構成が簡単である。
【発明を実施するための最良の形態】
【００１４】
請求項１に記載の発明は、ノズル装置であって、人体の局部に洗浄水を噴出する噴出孔を有する筒状の人体洗浄ノズルと、人体洗浄ノズルの外周面を取り囲む円筒状の内周面を有するノズル洗浄部材とを備え、人体洗浄ノズルは、ノズル洗浄部材内に収納およびノズル洗浄部材から突出可能に設けられ、ノズル洗浄部材は、人体洗浄ノズルの外周面とノズル洗浄部材の内周面との間の環状空間に洗浄水を導入してスパイラル状に旋回させるための洗浄水導入孔を有するものである。
【００１５】
本発明に係るノズル装置においては、人体洗浄ノズルにより人体の局部に洗浄水が噴出される。また、ノズル洗浄部材の洗浄水導入孔から人体洗浄ノズルの外周面とノズル洗浄部材の内周面との間の環状空間に洗浄水が導入され、環状空間をスパイラル状に旋回する。それにより、人体洗浄ノズルの外周面の広い範囲が効果的に洗浄される。したがって、人体洗浄ノズルの衛生状態を十分に確保することができる。
【００１６】
また、人体洗浄ノズルの外周面とノズル洗浄部材の内周面との間の環状空間に洗浄水を導入することにより人体洗浄ノズルの洗浄が行われるので、構成が簡単である。
【００１７】
請求項２に記載の発明は、請求項１に記載のノズル装置の構成において、人体洗浄ノズルは、円筒状の内周面を有するシリンダ部と、シリンダ部内に収容およびシリンダ部から突出可能でかつ先端部に噴出孔を有する円筒状のピストン部とを含み、ノズル洗浄部材は、シリンダ部内へのピストン部の収納状態でシリンダ部の先端部近くを取り囲むように設けられ、ピストン部は、ノズル洗浄部材内で揺動可能にピストン部に取付けられている。
【００１８】
この場合、人体洗浄ノズルにおいて、円筒状のピストン部は円筒状の内周面を有するシリンダ部内に収容され、シリンダ部から突出される。これにより、省スペース化が実現される。
【００１９】
また、シリンダ部内へのピストン部の収納時に、ピストン部の先端部近くがノズル洗浄部材により取り囲まれるとともに、先端部がノズル洗浄部材内で揺動可能となる。
【００２０】
これにより、洗浄水が洗浄水導入孔から人体洗浄ノズルの外周面とノズル洗浄部材の内周面との間の環状空間に導入されたときに、ピストン部がシリンダ部内で揺動しつつ、スパイラル状に旋回する洗浄水により先端部が十分に洗浄される。したがって、ピストン部の先端部近くに付着する汚れがより効果的に洗浄される。
【００２１】
請求項３に記載の発明は、請求項２に記載のノズル装置の構成において、ピストン部は、洗浄水を噴出孔に導く第１の流路を形成する管路と、噴出孔を有し、管路を取り囲むように設けられかつ先端部が閉じられ、管路との間に洗浄水を噴出孔に導く第２の流路を形成する筒状のカバー部材と、管路の先端に設けられるとともに孔部を有し、第１の流路から供給される洗浄水と第２の流路から供給される洗浄水とを合流させて孔部に導く噴出部材とを備える。
【００２２】
この場合、ピストン部において、第１の流路を形成する管路により洗浄水が噴出孔に導かれ、第２の流路を形成する筒状のカバー部材により管路との間に洗浄水が噴出孔に導かれ、管路の先端に設けられるとともに孔部を有する噴出部材により第１の流路から供給される洗浄水と第２の流路から供給される洗浄水とが合流されて孔部に導かれる。
【００２３】
このようなカバー部材および管路の２重管構造により第１および第２の流路を小径のカバー部材内に形成することができる。したがって、ノズル装置の小型化を図ることができる。
【００２４】
請求項４に記載の発明は、請求項３に記載のノズル装置の構成において、カバー部材の先端部は、略半球形状を有する。この場合、ピストン部先端に汚れが付着しにくくなる。また、付着した汚れを洗い流しやすくなる。したがって、ノズル装置が清潔に保たれる。
【００２５】
請求項５に記載の発明は、請求項３または４に記載のノズル装置の構成において、カバー部材は、一体的に形成された周壁部および先端部を有する。この場合、カバー部材に継ぎ目がなくなり、汚れが付着しにくくなる。また、付着した汚れを洗い流しやすくなる。したがって、ノズル装置が清潔に保たれる。
【００２６】
請求項６に記載の発明は、請求項３〜５のいずれかに記載のノズル装置の構成において、カバー部材は、金属よりなる。この場合、洗浄水の圧力がカバー部材に吸収されない。したがって、洗浄水を効率よく噴出させることができる。また、樹脂等に比べ熱伝導率が高いので除菌等に必要な洗浄水の温度が低下される。
【００２７】
さらに、汚れがノズル表面に付着しにくく、汚れが付着しても洗浄しやすい。また、カバー部材が金属で形成されているため、カバー部材の表面が光沢を有する。したがって、使用者は清潔感を覚える。
【００２８】
請求項７に記載の発明は、請求項３〜６のいずれかに記載のノズル装置の構成において、噴出孔は、孔部よりも大きい内径を有する。この場合、孔部から噴出される洗浄水が噴出孔に当たることがなく、洗浄水の噴出が妨げられない。
【００２９】
請求項８に記載の発明は、請求項１〜７のいずれかに記載のノズル装置の構成において、人体洗浄ノズルの外周面とノズル洗浄部材の内周面との間の隙間は、洗浄水導入孔の直径よりも大きい。
【００３０】
この場合、洗浄水は隙間に形成される環状空間で効率よく旋回される。その結果、人体洗浄ノズルの外周面が満遍なく洗浄される。
【００３１】
請求項９に記載の発明は、請求項１〜８のいずれかに記載のノズル装置の構成において、洗浄水導入孔は、ノズル洗浄部材内に導入される洗浄水が人体洗浄ノズルの外周面に対して略接線方向に噴出可能に設けられている。
【００３２】
この場合、洗浄水導入孔を通してノズル洗浄部材内に導入される洗浄水は、人体洗浄ノズルの外周面に対して略接線方向に噴出される。これにより、洗浄水は噴出時の流速を損なうことなく、人体洗浄ノズルの外周面の周囲を効率的に旋回する。
【００３３】
請求項１０に記載の発明は、請求項１〜９のいずれかに記載のノズル装置の構成において、人体洗浄ノズルの収納時に人体洗浄ノズルの先端部がノズル洗浄部材から突出している。
【００３４】
この場合、ノズル洗浄部材内に導入される洗浄水が、コアンダ効果により人体洗浄ノズルの先端部に沿って外部に流出するので、流出する洗浄水が人体洗浄ノズルの上方に飛散することが防止される。ここで、コアンダ効果とは、流れの中に物体を置いた場合に、流体がその物体に沿って流れようとする性質をいう。
【００３５】
請求項１１に記載の発明は、請求項１〜１０のいずれかに記載のノズル装置の構成において、ノズル洗浄部材の先端部の噴出孔の近傍に切り欠きが設けられている。
【００３６】
この場合、ノズル洗浄部材内に導入される洗浄水が、コアンダ効果によりノズル洗浄部材の切り欠きを除いた部分に沿って外部に流出する。これにより、ノズル洗浄部材の先端部から流出する洗浄水が人体洗浄ノズルの上方に飛散することが防止される。
【００３７】
請求項１２に記載の発明は、請求項１〜１１のいずれかに記載のノズル装置の構成において、ノズル洗浄部材の先端部の上面側に設けられ、前記ノズル洗浄部材の先端部を覆うように形成される洗浄水飛散防止片をさらに備えている。
【００３８】
この場合、ノズル洗浄部材内に導入される洗浄水がノズル洗浄部材の先端部から流出する際に、ノズル洗浄部材の先端部の上面側に飛散する洗浄水が飛散防止片に付着して落下する。これにより、ノズル洗浄部材の先端部から流出する洗浄水が人体洗浄ノズルの上方に飛散することが防止される。
【００３９】
請求項１３に記載の発明は、請求項１〜１２のいずれかに記載のノズル装置の構成において、洗浄水導入孔の径は約０．７ｍｍ以上１．０ｍｍ以下である。これにより、洗浄流量が０．５Ｌ／ｍｉｎ程度と低い場合でも、高い流速で十分な洗浄効果を得ることができる。
【００４０】
請求項１４に記載の発明は、請求項１〜１３のいずれかに記載のノズル装置の構成において、人体洗浄ノズルは、それぞれ噴出孔を有する筒状の複数の人体洗浄ノズルを含み、ノズル洗浄部材は、複数の人体洗浄ノズルの外周面をそれぞれ取り囲む複数のノズル洗浄部材を含む。
【００４１】
この場合、複数の人体洗浄ノズルが複数のノズル洗浄部材によりそれぞれ洗浄されるので、複数の人体洗浄ノズルの外周面の広い範囲が効果的に洗浄される。したがって、複数の人体洗浄ノズルの衛生状態を十分に確保することができる。
【００４２】
請求項１５に記載の発明は、給水源から供給される洗浄水を人体に噴出する衛生洗浄装置であって、請求項１〜１４のいずれかに記載のノズル装置と、ノズル装置の人体洗浄ノズルに洗浄水を供給する第１の洗浄水供給手段と、ノズル装置の洗浄水導入孔に洗浄水を供給する第２の洗浄水供給手段とを備えたものである。
【００４３】
本発明に係る衛生洗浄装置においては、第１の洗浄水供給手段によりノズル装置の人体洗浄ノズルに洗浄水が供給され、第２の洗浄水供給手段によりノズル装置の洗浄水導入孔に洗浄水が供給される。ノズル装置においては、人体洗浄ノズルにより人体の局部に洗浄水が噴出される。また、ノズル洗浄部材の洗浄水導入孔から人体洗浄ノズルの外周面とノズル洗浄部材の内周面との間の環状空間に洗浄水が導入され、環状空間をスパイラル状に旋回する。それにより、人体洗浄ノズルの外周面の広い範囲が効果的に洗浄される。したがって、人体洗浄ノズルの衛生状態を十分に確保することができる。
【００４４】
また、人体洗浄ノズルの外周面とノズル洗浄部材の内周面との間の環状空間に洗浄水を導入することにより人体洗浄ノズルの洗浄が行われるので、構成が簡単である。
【００４５】
請求項１６に記載の発明は、請求項１５記載の衛生洗浄装置の構成において、第２の洗浄水供給手段は、人体洗浄ノズルがノズル洗浄部材から突出する前に洗浄水を洗浄水導入孔に供給し、人体洗浄ノズルがノズル洗浄部材に収容された後に洗浄水を洗浄水導入孔に供給する。
【００４６】
この場合、第２の洗浄水供給手段により人体洗浄ノズルがノズル洗浄部材から突出する前に洗浄水が洗浄水導入孔に供給され、人体洗浄ノズルがノズル洗浄部材に収容された後に洗浄水が洗浄水導入孔に供給される。
【００４７】
これにより、人体洗浄ノズルが常に清潔に保たれる。また、使用者は洗浄水が洗浄水導入孔に供給されることによる人体洗浄ノズルの洗浄を、洗浄音などにより知ることができ、人体洗浄ノズルが常に清潔に保たれているという安心感を得ることができる。
【００４８】
請求項１７に記載の発明は、請求項１５または１６記載の衛生洗浄装置の構成において、給水源から供給される洗浄水を瞬間的に加熱する加熱装置をさらに備え、第２の洗浄水供給手段は、加熱装置により加熱された洗浄水を洗浄水導入孔に供給する。
【００４９】
この場合、加熱装置により給水源から供給される洗浄水が瞬間的に加熱され、第２の洗浄水供給手段により加熱装置により加熱された洗浄水が洗浄水導入孔に供給される。
【００５０】
これにより、高温の洗浄水により人体洗浄ノズルが洗浄されるので、高い洗浄効果が得られる。また、洗浄水の加熱状態に応じて人体洗浄ノズルの減菌、除菌または殺菌を行うことができる。高温の洗浄水による人体洗浄ノズルの洗浄によれば、使用者は人体洗浄ノズルの洗浄および減菌、除菌または殺菌が行われることにより、人体洗浄ノズルが常に清潔に保たれているという安心感を得ることができる。
【００５１】
請求項１８に記載の発明は、請求項１７記載の衛生洗浄装置の構成において、加熱装置により加熱された洗浄水は蒸気である。この場合、優れた洗浄効果および除菌効果を得ることができる。
【００５２】
請求項１９に記載の発明は、請求項１７または１８記載の衛生洗浄装置の構成において、便座部と、便座部上の人体の有無を検出する人体検出センサと、人体検出センサの出力に基づいて第２の洗浄水供給手段による洗浄水導入孔への洗浄水の供給を制御する制御部とをさらに備え、制御部は、人体検出センサが人体を検出した場合に加熱装置により加熱された洗浄水を洗浄水導入孔へ供給しない。
【００５３】
この場合、人体検出センサにより便座部上の人体の有無が検出され、制御部により人体検出センサの出力に基づいて第２の洗浄水供給手段による洗浄水導入孔への洗浄水の供給が制御される。そして、人体検出センサが人体を検出した場合、加熱装置により加熱された洗浄水は洗浄水導入孔に供給されない。これにより、使用者が便座部に着座した状態で加熱装置により加熱された洗浄水に触れることが防止される。
【００５４】
請求項２０に記載の発明は、請求項１５〜１９のいずれかに記載の衛生洗浄装置の構成において、給水源から供給される洗浄水の一部または全てを外部に排出可能な分岐配管をさらに備え、第２の洗浄水供給手段は、分岐配管を流れる洗浄水の少なくとも一部を洗浄水導入孔へ供給する。
【００５５】
この場合、分岐配管により給水源から供給される洗浄水の一部または全てが外部に排出され、第２の洗浄水供給手段により分岐配管を流れる洗浄水の少なくとも一部が洗浄水導入孔に供給される。
【００５６】
これにより、人体洗浄ノズルの洗浄に用いる洗浄水の流量を増加させることができるので、より洗浄効果の高いノズル洗浄を行うことができる。
【実施例１】
【００５７】
以下、本発明の実施例に係るノズル装置およびそれを備える衛生浄装置について図１〜図２５に基づき説明する。
【００５８】
（実施例１）
図１は本発明の第１の実施例に係る衛生洗浄装置を便器に装着した状態を示す斜視図である。図１に示すように、便器６００上に衛生洗浄装置１００が装着される。タンク７００は、水道配管に接続されており、便器６００内に洗浄水を供給する。
【００５９】
衛生洗浄装置１００は、本体部２００、遠隔操作装置３００、便座部４００および蓋部５００により構成される。
【００６０】
本体部２００には、便座部４００および蓋部５００が開閉自在に取り付けられる。さらに、本体部２００には、ノズル部３０を含む洗浄水供給機構と着座センサ５１とが設けられるとともに、制御部が内蔵されている。着座センサ５１は、赤外線を用いて便座部４００上の使用者の有無を検知する。
【００６１】
本体部２００の制御部は、着座センサ５１からの信号および後述する遠隔操作装置３００により送信される信号に基づいて、洗浄水供給機構を制御する。さらに、本体部２００の制御部は、便座部４００に内蔵されたヒータ（図示せず）、本体部２００に設けられた脱臭装置（図示せず）および温風供給装置（図示せず）等の制御も行う。
【００６２】
図２は、図１の遠隔操作装置３００の一例を示す模式図である。
【００６３】
図２に示すように、遠隔操作装置３００は、複数のＬＥＤ（発光ダイオード）３０１、複数の調整スイッチ３０２、おしりスイッチ３０３、刺激スイッチ３０４、停止スイッチ３０５、ビデスイッチ３０６、乾燥スイッチ３０７、脱臭スイッチ３０８、ノズル洗浄スイッチ３０９およびノズル高温洗浄スイッチ３１０を備える。
【００６４】
使用者により調整スイッチ３０２、おしりスイッチ３０３、刺激スイッチ３０４、停止スイッチ３０５、ビデスイッチ３０６、乾燥スイッチ３０７、脱臭スイッチ３０８、ノズル洗浄スイッチ３０９およびノズル高温洗浄スイッチ３１０が押下操作される。それにより、遠隔操作装置３００は、後述する衛生洗浄装置１００の本体部２００に設けられた制御部に所定の信号を無線送信する。本体部２００の制御部は、遠隔操作装置３００より無線送信される所定の信号を受信し、洗浄水供給機構等を制御する。
【００６５】
例えば、使用者が、おしりスイッチ３０３またはビデスイッチ３０６を押下操作することにより図１の本体部２００のノズル部３０が移動して洗浄水が噴出する。刺激スイッチ３０４を押下操作することにより図１の本体部２００のノズル部３０から人体の局部に刺激を与える洗浄水が噴出される。停止スイッチ３０５を押下操作することによりノズル部３０からの洗浄水の噴出が停止する。
【００６６】
また、乾燥スイッチ３０７を押下操作することにより人体の局部に対して衛生洗浄装置１００の温風供給装置（図示せず）より温風が噴出される。脱臭スイッチ３０８を押下操作することにより衛生洗浄装置１００の脱臭装置（図示せず）により周辺の脱臭が行われる。
【００６７】
さらに、ノズル洗浄スイッチ３０９を押下操作することによりノズル部３０の洗浄水による洗浄が行われ、ノズル高温洗浄スイッチ３１０を押下操作することによりノズル部３０の高温に加熱された洗浄水による洗浄が行われる。ノズル洗浄スイッチ３０９およびノズル高温洗浄スイッチ３１０の押下操作によるノズル部３０の洗浄動作の詳細については後述する。以下、ノズル部３０の洗浄をノズル洗浄と呼ぶ。
【００６８】
調整スイッチ３０２は、水勢調整スイッチ３０２ａ，３０２ｂ、温度調整スイッチ３０２ｃ，３０２ｄおよびノズル位置調整スイッチ３０２ｅ，３０２ｆを含む。
【００６９】
使用者がノズル位置調整スイッチ３０２ｅ，３０２ｆを押下操作することにより図１の本体部２００のノズル部３０の位置が変化し、温度調整スイッチ３０２ｃ，３０２ｄを押下操作することによりノズル部３０より噴出される洗浄水の温度が変化する。また、水勢調整スイッチ３０２ａ，３０２ｂを押下操作することにより、ノズル部３０より噴出される洗浄水の水勢（圧力）および噴出形態が変化する。調整スイッチ３０２の押下に伴って複数のＬＥＤ（発光ダイオード）３０１が点灯する。
【００７０】
以下、本発明の第１の実施例に係る衛生洗浄装置１００の本体部２００について説明を行う。図３は本発明の第１の実施例に係る衛生洗浄装置１００の本体部２００の構成を示す模式図である。
【００７１】
図３に示す本体部２００は、制御部４、分岐水栓５、ストレーナ６、逆止弁７、定流量弁８、止水電磁弁９、流量センサ１０、熱交換器１１、温度センサ１２ａ，１２ｂ、着座センサ５１、ポンプ１３、洗浄用切替弁１４Ａ、逃がし水切替弁１４Ｂおよびノズル部３０を含む。また、ノズル部３０は、おしりノズル１、ビデノズル２およびノズル洗浄ノズル３を含み、洗浄用切替弁１４ＡはモータＭ１を備え、逃がし水切替弁１４ＢはモータＭ２を備える。
【００７２】
図３に示すように、水道配管２０１に分岐水栓５が介挿される。また、分岐水栓５と熱交換器１１との間に接続される配管２０２に、ストレーナ６、逆止弁７、定流量弁８、止水電磁弁９、流量センサ１０および温度センサ１２ａが順に介挿されている。さらに、熱交換器１１と洗浄用切替弁１４Ａとの間に接続される配管２０３に、温度センサ１２ｂおよびポンプ１３が介挿されている。
【００７３】
まず、水道配管２０１を流れる浄水が、洗浄水として分岐水栓５によりストレーナ６に供給される。ストレーナ６により洗浄水に含まれるごみや不純物等が除去される。次に、逆止弁７により配管２０２内における洗浄水の逆流が防止される。そして、定流量弁８により配管２０２内を流れる洗浄水の流量が一定に維持される。
【００７４】
また、ポンプ１３と洗浄用切替弁１４Ａとの間にはリリーフ管２０４が接続され、止水電磁弁９と流量センサ１０との間には、分岐配管２０５が接続されている。リリーフ配管２０４には、リリーフ弁２０６が介挿されている。リリーフ弁２０６は、配管２０３の特にポンプ１３の下流側の圧力が所定値を超えると開成し、異常時の機器の破損、ホースの外れ等の不具合を防止する。
【００７５】
一方、定流量弁８によって流量が調節され供給される洗浄水のうちポンプ１３で吸引されない洗浄水が分岐配管２０５に導入される。分岐配管２０５の下流には逃がし水切替弁１４Ｂが取り付けられている。逃がし水切替弁１４Ｂは、制御部４により与えられる制御信号に基づいて、ノズル部３０のノズル洗浄ノズル３に接続する供給水路２６６および逃がし水路２０７に供給する洗浄水の流量を調整する。これにより、水道供給圧に左右されることなくポンプ１３には所定の背圧が作用することになる。
【００７６】
次いで、流量センサ１０は、配管２０２内を流れる洗浄水の流量を測定し、制御部４に測定流量値を与える。また、温度センサ１２ａは、配管２０２内を流れる洗浄水の温度を測定し、制御部４に温度測定値を与える。
【００７７】
続いて、熱交換器１１は、制御部４により与えられる制御信号に基づいて、配管２０２を通して供給された洗浄水を所定の温度に加熱する。温度センサ１２ｂは、熱交換器１１により所定の温度に加熱された洗浄水の温度を測定し、制御部４に温度測定値を与える。
【００７８】
ポンプ１３は、熱交換器１１により加熱された洗浄水を制御部４により与えられる制御信号に基づいて、洗浄用切替弁１４Ａに圧送する。洗浄用切替弁１４Ａは、制御部４により与えられる制御信号に基づいて、ノズル部３０のおしりノズル１、ビデノズル２およびノズル洗浄ノズル３のいずれか１つに洗浄水を供給する。
【００７９】
ノズル部３０のおしりノズル１またはビデノズル２に洗浄水が供給された場合、おしりノズル１またはビデノズル２より洗浄水が噴出される。一方、洗浄用切替弁１４Ａを介してノズル洗浄ノズル３に洗浄水が供給された場合および上述の逃がし水切替弁１４Ｂを介してノズル洗浄ノズル３に洗浄水が供給された場合、ノズル洗浄ノズル３に設けられたノズル洗浄孔から洗浄水が噴出する。洗浄水がノズル洗浄ノズル３からおしりノズル１およびビデノズル２に噴出されることにより、おしりノズル１およびビデノズル２のノズル洗浄が行われる。ノズル洗浄ノズル３のノズル洗浄孔については後述する。
【００８０】
ノズル洗浄ノズル３のノズル洗浄孔から噴出される洗浄水の温度は、使用者による遠隔操作装置３００のノズル洗浄スイッチ３０９またはノズル高温洗浄スイッチ３１０の押下操作により異なる。洗浄水の温度については後述する。
【００８１】
おしりノズル１およびビデノズル２より噴出される洗浄水の流量は、洗浄用切替弁１４Ａにより調整される。また、ノズル洗浄ノズル３より噴出される洗浄水の流量は、洗浄用切替弁１４Ａおよび逃がし水切替弁１４Ｂにより調整される。なお、おしりノズル１、ビデノズル２およびノズル洗浄ノズル３より噴出される洗浄水の流量の調整は、ポンプ１３の駆動能力を変化させることにより行われてもよい。
【００８２】
制御部４は、図１の遠隔操作装置３００から無線送信される信号、着座センサ５１からの便座部４００上の使用者の有無の信号、流量センサ１０から与えられる測定流量値および温度センサ１２ａ，１２ｂから与えられる温度測定値に基づき止水電磁弁９、熱交換器１１、ポンプ１３、洗浄用切替弁１４Ａおよび逃がし水切替弁１４Ｂに対して制御信号を与える。
【００８３】
図４は、熱交換器１１の構造の一例を示す一部切り欠き断面図である。
【００８４】
図４に示すように、樹脂ケース５０４内に曲折された蛇行配管５１０が埋設されている。蛇行配管５１０に接触するように平板状のセラミックヒータ５０５が設けられている。矢印Ｙで示すように、洗浄水が、給水口５１１から蛇行配管５１０内に供給され、蛇行配管５１０中を流れる間に、セラミックヒータ５０５により効率よく加熱され、排出口５１２から排出される。
【００８５】
図３の制御部４は、温度センサ１２ｂより与えられる温度測定値に基いて、熱交換器１１のセラミックヒータ５０５の温度をフィードバック制御する。
【００８６】
本実施例においては、制御部４がフィードバック制御により熱交換器１１のセラミックヒータ５０５の温度を制御することとしたが、これに限定されず、フィードフォワード制御によりセラミックヒータ５０５の温度を制御してもよく、あるいは、温度上昇時には、フィードフォワード制御によりセラミックヒータ５０５を制御し、定常時には、フィードバック制御によりセラミックヒータ５０５を制御する複合的な制御を行ってもよい。
【００８７】
図５（ａ）は洗浄用切替弁１４Ａの縦断面図であり、図５（ｂ）は図５（ａ）の洗浄用切替弁１４ＡのＡ−Ａ線断面図であり、図５（ｃ）は図５（ａ）の洗浄用切替弁１４ＡのＢ−Ｂ線断面図であり、図５（ｄ）は図５（ａ）の洗浄用切替弁１４ＡのＣ−Ｃ線断面図である。
【００８８】
図５に示す洗浄用切替弁１４Ａは、モータＭ１、内筒１４２および外筒１４３により構成される。
【００８９】
外筒１４３内に内筒１４２が挿入され、モータＭ１の回転軸が内筒１４２に取り付けられている。モータＭ１は、制御部４により与えられる制御信号に基づいて回転動作を行う。モータＭ１が回転することにより内筒１４２が回転する。
【００９０】
図５（ａ），（ｂ），（ｃ），（ｄ）に示すように、外筒１４３の一端には、洗浄水入口１４３ａが設けられ、側部の対向する位置に洗浄水出口１４３ｂ，１４３ｃが設けられ、側部の洗浄水出口１４３ｂ，１４３ｃと異なる位置に洗浄水出口１４３ｄが設けられ、側部の洗浄水出口１４３ｂ，１４３ｃ，１４３ｄと異なる位置に洗浄水出口１４３ｅが設けられている。内筒１４２の互いに異なる位置に孔１４２ｅ，１４２ｆ，１４２ｇが設けられている。孔１４２ｅ，１４２ｆの周辺には、図５（ｂ），（ｃ）に示すように、曲線および直線で構成される面取り部が形成され、孔１４２ｇの周辺には、図５（ｄ）に示すように、直線で構成される面取り部が形成されている。
【００９１】
内筒１４２の回転により、孔１４２ｅが外筒１４３の洗浄水出口１４３ｂまたは１４３ｃと対向可能になっており、孔１４２ｆが外筒１４３の洗浄水出口１４３ｄと対向可能になっており、孔１４２ｇが外筒１４３の洗浄水出口１４３ｅと対向可能になっている。
【００９２】
洗浄水入口１４３ａには、図３の配管２０３が接続され、洗浄水出口１４３ｂには、ビデノズル２が接続され、洗浄水出口１４３ｃには、おしりノズル１の第１の流路が接続され、洗浄水出口１４３ｄには、おしりノズル１の第２の流路が接続され、洗浄水出口１４３ｅには、ノズル洗浄ノズル３が接続されている。おしりノズル１の第１の流路および第２の流路については後述する。
【００９３】
図６は図５の洗浄用切替弁１４Ａの動作を示す断面図である。
【００９４】
図６（ａ）〜（ｆ）は洗浄用切替弁１４ＡのモータＭ１がそれぞれ０度、９０度、１３５度、１８０度、２２５度および２７０度回転した状態を示す。
【００９５】
まず、図６（ａ）に示すように、モータＭ１を回転させない（０度）場合には、内筒１４２の孔１４２ｅの周囲の面取り部が外筒１４３の洗浄水出口１４３ｂに対向する。したがって、洗浄水が洗浄水入口１４３ａより内筒１４２の内部を通過して、矢印Ｗ１で示すように洗浄水出口１４３ｂから流出する。
【００９６】
次に、図６（ｂ）に示すように、モータＭ１が内筒１４２を９０度回転させた場合には、内筒１４２の孔１４２ｇの周囲の面取り部が外筒１４３の洗浄水出口１４３ｅに対向する。したがって、洗浄水が洗浄水入口１４３ａより内筒１４２の内部を通過して、矢印Ｗ２で示すように洗浄水出口１４３ｅから流出する。
【００９７】
次いで、図６（ｃ）に示すように、モータＭ１が内筒１４２を１３５度回転させた場合には、内筒１４２の孔１４２ｇの周囲の面取り部の一部が外筒１４３の洗浄水出口１４３ｅに対向するとともに、内筒１４２の孔１４２ｅの周囲の面取り部の一部が外筒１４３の洗浄水出口１４３ｃに対向する。したがって、少量の洗浄水が洗浄水入口１４３ａより内筒１４２の内部を通過して、矢印Ｗ２および矢印Ｗ３で示すように洗浄水出口１４３ｃ，１４３ｅから流出する。
【００９８】
次に、図６（ｄ）に示すように、モータＭ１が内筒１４２を１８０度回転させた場合には、内筒１４２の孔１４２ｅの周囲の面取り部が外筒１４３の洗浄水出口１４３ｃに対向する。したがって、洗浄水が洗浄水入口１４３ａより内筒１４２の内部を通過して、矢印Ｗ３で示すように洗浄水出口１４３ｃから流出する。
【００９９】
次に、図６（ｅ）に示すように、モータＭ１が内筒１４２を２２５度回転させた場合には、内筒１４２の孔１４２ｅの周囲の面取り部の一部が外筒１４３の洗浄水出口１４３ｃに対向するとともに、内筒１４２の孔１４２ｆの周囲の面取り部の一部が外筒１４３の洗浄水出口１４３ｄに対向する。したがって、少量の洗浄水が洗浄水入口１４３ａより内筒１４２の内部を通過して、矢印Ｗ３および矢印Ｗ４で示すように洗浄水出口１４３ｃ，１４３ｄから流出する。
【０１００】
また、図６（ｆ）に示すように、モータＭ１が内筒１４２を２７０度回転させた場合には、内筒１４２の孔１４２ｆの周囲の面取り部が外筒１４３の洗浄水出口１４３ｄに対向する。したがって、洗浄水が洗浄水入口１４３ａより内筒１４２の内部を通過して、矢印Ｗ４で示すように洗浄水出口１４３ｄから流出する。
【０１０１】
以上のように、制御部４からの制御信号に基づいてモータＭ１が回転することにより内筒１４２の孔１４２ｅ，１４２ｆ，１４２ｇのいずれかが外筒１４３の洗浄水出口１４３ｂ〜１４３ｅに対向し、洗浄水入口１４３ａから流入した洗浄水が洗浄水出口１４３ｂ〜１４３ｅのいずれかから流出する。
【０１０２】
図７は図６の洗浄用切替弁１４Ａの洗浄水出口１４３ｃ，１４３ｄからおしりノズル１に流出する洗浄水の流量、洗浄水出口１４３ｂからビデノズル２に流出する洗浄水の流量および洗浄水出口１４３ｅからノズル洗浄ノズル３に流出する洗浄水の流量を示す図である。
【０１０３】
図７の横軸はモータＭ１の回転角度を示し、縦軸は洗浄水出口１４３ｂ〜１４３ｅから流出する洗浄水の流量の一例を示す。また、実線Ｑ１が洗浄水出口１４３ｃからおしりノズル１に流出する洗浄水の流量の変化を示し、一点鎖線Ｑ２が洗浄水出口１４３ｄからおしりノズル１に流出する洗浄水の流量の変化を示し、二点鎖線Ｑ３が洗浄水出口１４３ｂからビデノズル２に流出する洗浄水の流量の変化を示し、破線Ｑ４が洗浄水出口１４３ｅから熱交換器１１を介して、ノズル洗浄ノズル３に流出する洗浄水の流量の変化を示す。
【０１０４】
例えば、図７に示すように、モータＭ１が回転しない場合（０度）、洗浄水出口１４３ｂからビデノズル２に流出する洗浄水の流量Ｑ３は最大値を示す。そして、モータＭ１の回転角度が大きくなるとともに洗浄水出口１４３ｂからビデノズル２に流出する洗浄水の流量Ｑ３が減少し、洗浄水出口１４３ｅからノズル洗浄ノズル３に流出する洗浄水の流量Ｑ４が増加する。
【０１０５】
次いで、モータＭ１が９０度回転した場合、洗浄水出口１４３ｅからノズル洗浄ノズル３に流出する洗浄水の流量Ｑ４は最大値を示す。そして、モータＭ１の回転角度がさらに大きくなるとともに洗浄水出口１４３ｅからノズル洗浄ノズル３に流出する洗浄水の流量Ｑ４が減少し、洗浄水出口１４３ｃからおしりノズル１の第１の流路に流出する洗浄水の流量Ｑ１が増加する。
【０１０６】
続いて、モータＭ１が１８０度回転した場合、洗浄水出口１４３ｃからおしりノズル１の第１の流路に流出する洗浄水の流量Ｑ１は最大値を示す。そして、モータＭ１の回転角度がさらに大きくなるとともに洗浄水出口１４３ｃからおしりノズル１の第１の流路に流出する洗浄水の流量Ｑ１が減少し、洗浄水出口１４３ｄからおしりノズル１の第２の流路に流出する洗浄水の流量Ｑ２が増加する。
【０１０７】
さらに、モータＭ１が２７０度回転した場合、洗浄水出口１４３ｄからおしりノズル１の第２の流路に流出する洗浄水の流量Ｑ２は最大値を示す。そして、モータＭ１の回転角度がさらに大きくなるとともに洗浄水出口１４３ｄからおしりノズル１の第２の流路に流出する洗浄水の流量Ｑ２が減少し、洗浄水出口１４３ｂからビデノズル２に流出する洗浄水の流量Ｑ３が増加する。
【０１０８】
以上のように、制御部４が洗浄用切替弁１４ＡのモータＭ１の回転角度を制御することにより洗浄水出口１４３ｂ〜１４３ｅから流出する洗浄水の流量を制御することができる。さらに、洗浄用切替弁１４ＡのモータＭ１の回転角度がいかなる場合でも、洗浄水出口１４２ｅ，１４２ｆ，１４２ｇのいずれかまたはそれらの周囲の面取り部（凹部）が洗浄水出口１４３ｂ〜１４３ｅのいずれかに対向するので、洗浄水の流路が閉塞されず、洗浄水入口１４３ａから供給された洗浄水は、洗浄水出口１４３ｂ〜１４３ｅのいずれかから流出される。
【０１０９】
逃がし水切替弁１４Ｂは、洗浄用切替弁１４Ａの構成と同様に、モータＭ２、内筒および外筒により構成される。ただし、逃がし水切替弁１４Ｂの外筒には、１つの洗浄水入口および２つの洗浄水出口が設けられている。逃がし水切替弁１４Ｂの１つの洗浄水入口には、分岐配管２０５から洗浄水が供給される。
【０１１０】
逃がし水切替弁１４Ｂの２つの洗浄水出口のうち、一方には逃がし水路２０７が接続され、他方には供給水路２６６を介してノズル部３０のノズル洗浄ノズル３が接続されている。
【０１１１】
洗浄用切替弁１４Ａと同様に、逃がし水切替弁１４ＢのモータＭ２は制御部４より与えられる制御信号に基づいて回転動作を行う。モータＭ２が回転することにより逃がし水切替弁１４Ｂの内筒が回転し、分岐配管２０５に導入される洗浄水が、逃がし水路２０７または供給水路２６６のいずれかに供給され、または任意の割合で分流される。
【０１１２】
図８は、図１のノズル部３０の外観斜視図である。図８においては、円筒形状を有するおしりノズル１とビデノズル２とが隣接するように平行に設けられている。また、おしりノズル１およびビデノズル２の上面側には、おしりノズル１およびビデノズル２の境界部を跨ぐように、ノズル洗浄ノズル３が付設されている。ノズル洗浄ノズル３はおしりノズル１およびビデノズル２の先端側に位置する。
【０１１３】
ここで、ノズル洗浄ノズル３は、おしりノズル１およびビデノズル２に一体成形された側壁７０Ｗおよび密閉部材３Ｋからなる。密閉部材３Ｋが側壁７０Ｗの上面に取り付けられることにより（図８の矢印Ｅ）、洗浄水導入空間７０、第１のノズル洗浄流路７１および第２のノズル洗浄流路７２が形成される。
【０１１４】
洗浄水導入空間７０は、密閉部材３Ｋの後端に位置する洗浄水導入片３Ｋａ，３Ｋｂに設けられた貫通孔を介して外部と連通している。洗浄水導入空間７０から分岐して形成される第１のノズル洗浄流路７１および第２のノズル洗浄流路７２は、それぞれおしりノズル１側上面およびビデノズル２側上面に位置する。
【０１１５】
密閉部材３Ｋの洗浄水導入片３Ｋａ，３Ｋｂには、図示しないチューブ等が取り付けられる。洗浄水導入片３Ｋａ，３Ｋｂはチューブを介して図３の逃がし水切替弁１４Ｂの洗浄水出口および図５の洗浄用切替弁１４Ａの洗浄水出口１４３ｅとそれぞれ接続される。これにより、洗浄水がチューブを通じてノズル洗浄ノズル３に供給される。
【０１１６】
次に、図３のノズル部３０のおしりノズル１について説明する。図９はノズル部３０のおしりノズル１のピストン２０の斜視図であり、図１０はピストン２０の分解斜視図である。
【０１１７】
図９に示すように、おしりノズル１のピストン２０は、ノズルカバー４０１、二流路管４０２、一流路管４０３および流路合流部４０４を含む。図９では、ノズルカバー４０１が破線で示されている。図１０に示すように、ノズルカバー４０１の先端部の上面には噴出孔４０１ａが設けられている。
【０１１８】
二流路管４０２は、洗浄水が流れる流路を２つ有する。一方の流路には一流路管４０３の後端が接続されており、一流路管４０３の先端には流路合流部４０４が接続されている。また、図９に示すように、ノズルカバー４０１は、二流路管４０２、一流路管４０３および流路合流部４０４を覆っている。
【０１１９】
二流路管４０２の一方の流路に供給された洗浄水は、一流路管４０３を通って流路合流部４０４に供給される。二流路管４０２の他方の流路に供給された洗浄水は、一流路管４０３とノズルカバー４０１との間の空間を通り、流路合流部４０４に供給される。流路合流部４０４に供給された洗浄水は、噴出孔４０１ａから人体に向けて噴出される。このときに噴出される洗浄水は分散旋回流となる。
【０１２０】
図１１（ａ）はピストン２０の側面図であり、図１１（ｂ）はピストン２０の平面図である。
【０１２１】
図１１（ａ）および（ｂ）に示すように、ノズルカバー４０１は、先端が半球状に閉じられた円筒構造を有し、継ぎ目のない一体構造を有する。ノズルカバー４０１の先端部の上部には部分的に平面が形成されており、その平面の中央部に噴出孔４０１ａが形成されている。ノズルカバー４０１は、ステンレスを絞り加工することにより形成される。
【０１２２】
ノズルカバー４０１に継ぎ目がないことから、ノズルカバー４０１に汚れが付着しても洗い流しやすく衛生的である。また、ステンレスは抗菌作用を有するため、ノズルカバー４０１の表面において菌が繁殖することもない。
【０１２３】
また、ノズルカバー４０１がステンレスで構成されていることから、ノズルカバー４０１の強度を確保しつつ薄肉化することができ、おしりノズル１の小型化が図れる。この場合、ノズルカバー４０１内に加圧された洗浄水が供給されても変形することはない。なお、ノズルカバー４０１の管径は例えば１０ｍｍであり、肉厚は例えば０．２ｍｍ程度である。
【０１２４】
さらに、ノズルカバー４０１が絞り加工により形成されることから、表面に粗さがなく、汚れが付着しにくい。また、ノズルカバー４０１の表面が光沢を有するようになり、使用者は清潔感を覚える。
【０１２５】
図１２は、図８のおしりノズル１の軸方向の横断面図である。図８において、おしりノズル１は突出していないが、ここでは、おしりノズル１が突出した場合の横断面図が示されている。
【０１２６】
図１２に示すように、おしりノズル１は、ピストン２０、円筒状のシリンダ２１、シールパッキン２２ａ，２２ｂおよびスプリング２３により構成される。
【０１２７】
流路合流部４０４の上面には、洗浄水を噴出するための孔部２５が形成されている。ピストン２０の後端には、フランジ形状のストッパ部１２６ａ，１２６ｂが設けられている。また、ストッパ部１２６ａ，１２６ｂには、それぞれシールパッキン２２ａ，２２ｂが装着されている。
【０１２８】
二流路管４０２の内部には、後端面から一流路管４０３に連通する流路２７ａが形成され、ストッパ部１２６ａとストッパ部１２６ｂとの間におけるピストン２０の周面から二流路管４０２の先端面に連通する流路２７ｃが形成されている。
【０１２９】
一流路管４０３の内部には、二流路管４０２の流路２７ａから流路合流部４０４に連通する流路２７ｂが形成されている。ノズルカバー４０１と一流路管４０３との間の空間は、流路２７ｄとなる。流路合流部４０４の詳細については後述する。
【０１３０】
一方、シリンダ２１は、先端側の径小部分と中間の径を有する中間部分と後端側の径大部分とからなる。それにより、径小部分と中間部分との間に、ピストン２０のストッパ部１２６ａがシールパッキン２２ａを介して当接可能なストッパ面２１ｃが形成され、中間部分と径大部分との間に、ピストン２０のストッパ部１２６ｂがシールパッキン２２ｂを介して当接可能なストッパ面１２１ｂが形成されている。
【０１３１】
シリンダ２１の後端面には、洗浄水入口２４ａが設けられ、シリンダ２１の中間部分の周面には、洗浄水入口２４ｂが設けられている。なお、洗浄水入口２４ｂは図８の横断面には現われないが、説明を容易にするため図１２に図示している。シリンダ２１の先端側には、開口部２０Ｘが設けられるとともに、略円筒形状に形成されたノズル洗浄筒２６が一体形成されている。シリンダ２１の内部空間が温度変動緩衝部２８となる。洗浄水入口２４ａは、シリンダ２１の中心軸とは異なる位置に偏心して設けられている。
【０１３２】
洗浄水入口２４ａは、図５の切替弁１４の洗浄水出口１４３ｃに接続され、洗浄水入口２４ｂは、図５の切替弁１４の洗浄水出口１４３ｄに接続されている。ピストン２０がシリンダ２１より最も突出した場合に、洗浄水入口２４ｂは、二流路管４０３の流路２７ｃと連通する。この洗浄水入口２４ｂが流路２７ｃと接続される際の動作の詳細については後述する。
【０１３３】
ピストン２０は、ストッパ部１２６ｂが温度変動緩衝部２８内に位置し、先端部が開口部２０Ｘから突出するように、シリンダ２１内に移動可能に挿入されている。
【０１３４】
さらに、スプリング２３は、ピストン２０のストッパ部１２６ａとシリンダ２１の開口部２０Ｘの周縁との間に配設されており、ピストン２０をシリンダ２１の後端側に付勢する。
【０１３５】
ピストン２０のストッパ部１２６ａ，１２６ｂの外周面とシリンダ２１の内周面との間に微小隙間が形成され、ピストン２０の外周面とシリンダ２１の開口部２０Ｘの内周面との間に微小隙間が形成されている。
【０１３６】
次いで、図１２のおしりノズル１の動作について説明する。図１３は、図１２のおしりノズル１の動作を説明するための横断面図である。ここでも、図１２と同様に、説明を容易にするため、横断面に現われない洗浄水入口２４ｂの断面形状が示されている。
【０１３７】
まず、図１３（ａ）に示すように、シリンダ２１の洗浄水入口２４ａ，２４ｂより洗浄水が供給されない場合、ピストン２０が、スプリング２３の弾性力により矢印Ｓの方向と逆方向に後退し、シリンダ２１内に収容されている。その結果、ピストン２０は、シリンダ２１の開口部２０Ｘより最も突出していない状態となる。このとき、シリンダ２１内には、温度変動緩衝部２８が形成されない。
【０１３８】
次いで、図１３（ｂ）に示すように、シリンダ２１の洗浄水入口２４ａより洗浄水の供給が開始された場合、洗浄水の圧力によりピストン２０がスプリング２３の弾性力に抗して矢印Ｓの方向に徐々に前進する。それにより、シリンダ２１内に温度変動緩衝部２８が形成されるとともに温度変動緩衝部２８に洗浄水が流入する。
【０１３９】
洗浄水入口２４ａがシリンダ２１の中心軸に対して偏心した位置に設けられているので、温度変動緩衝部２８に流入した洗浄水は、矢印Ｖで示すように渦巻状に還流する。温度変動緩衝部２８の洗浄水の一部は、ピストン２０のストッパ部１２６ａ，１２６ｂの外周面とシリンダ２１の内周面との間の微小隙間を通して、ピストン２０の外周面とシリンダ２１の開口部２０Ｘの内周面との間の微小隙間から流れ出るとともに、ピストン２０の流路２７ａ，２７ｂ，２７ｃ，２７ｄを通して流路合流部４０４に供給され、孔部２５からわずかに噴出される。
【０１４０】
ピストン２０がさらに前進すると、図１３（ｃ）に示すように、ストッパ部１２６ａ，１２６ｂがシールパッキン２２ａ，２２ｂを介してシリンダ２１のストッパ面２１ｃ，１２１ｂに水密に接触する。それにより、ピストン２０のストッパ部１２６ａ，１２６ｂの外周面とシリンダ２１の内周面との間の微小隙間からピストン２０の外周面とシリンダ２１の開口部２０Ｘの内周面との間の微小隙間に至る流路が遮断される。
【０１４１】
さらに、洗浄水入口２４ｂより供給された洗浄水が、ピストン２０の流路２７ｃ，２７ｄを通して流路合流部４０４に供給される。それにより、流路２７ａ，ｂを通して流路合流部４０４に供給された洗浄水は、流路２７ｃ，２７ｄを通して供給された洗浄水と混合され、孔部２５から噴出される。ここで、ノズルカバー４０１の先端部の噴出孔４０１ａは孔部２５よりも大きい内径を有する。それにより、孔部２５から噴出される洗浄水は噴出孔４０１ａに当たることがなく洗浄水の噴出が妨げられない。
【０１４２】
おしりノズル１のノズルカバー４０１と同様にビデノズル２のノズルカバーもステンレスで構成されている。なお、ビデノズル２の詳細な構成および動作については省略する。
【０１４３】
おしりノズル１の洗浄は、ピストン２０がシリンダ２１内に収納された状態でノズル洗浄ノズル３から洗浄水が噴出されることにより行われる。また、ビデノズル２の洗浄もおしりノズル１の洗浄と同様に行われる。
【０１４４】
図１４は、図８のノズル部３０のＹ−Ｙ線断面図である。図１４においては、おしりノズル１のノズル洗浄筒２６、ビデノズル２のノズル洗浄筒２６ｂおよびノズル洗浄ノズル３の断面形状をより明確にするため、おしりノズル１のピストン２０およびビデノズル２のピストン２０ｂの断面形状ならびにおしりノズル１のシリンダ２１およびビデノズル２のシリンダ２１ｂの外観の詳細は省略している。
【０１４５】
図１４に示すように、ノズル洗浄筒２６，２６ｂの各々の内部にはピストン２０，２０ｂが収納されている。ノズル洗浄筒２６，２６ｂの断面は略円形に形成されており、ノズル洗浄筒２６，２６ｂの内径は、略円形に形成されたピストン２０，２０ｂの外径よりも大きい。ノズル洗浄筒２６，２６ｂが楕円形の場合には、ノズル洗浄筒２６，２６ｂの最小内径がピストン２０，２０ｂの最大外形よりも大きくなるように設定する。
【０１４６】
ノズル洗浄筒２６のビデノズル２側の上面にはノズル洗浄孔２６ｈが設けられている。また、ノズル洗浄筒２６ｂのおしりノズル１側の上面にはノズル洗浄孔２６ｈｂが設けられている。このように、ノズル洗浄孔２６ｈ，２６ｈｂの各々は、ノズル洗浄筒２６，２６ｂに１つずつ設けられている。
【０１４７】
ここで、ノズル洗浄筒２６の内径とピストン２０の外径との差をＬ２とし、ノズル洗浄孔２６ｈの孔径をＬ１とすると、Ｌ１とＬ２との間には、Ｌ１＜Ｌ２の関係が成り立つ。
【０１４８】
ただし、ノズル洗浄筒２６，２６ｂが楕円形状の場合には、ノズル洗浄孔２６ｈの孔径Ｌ１はノズル洗浄筒２６の最小内径とピストン２０の外径との差Ｌ２よりも小さく設定される。
【０１４９】
ノズル洗浄筒２６ｂの内径とピストン２０ｂの外径との差とノズル洗浄孔２６ｈｂとの間にも同様の関係が成り立つ。
【０１５０】
第１のノズル洗浄流路７１および第２のノズル洗浄流路７２の各々はノズル洗浄孔２６ｈ，２６ｈｂによりノズル洗浄筒２６，２６ｂの内部と連通している。第１のノズル洗浄流路７１および第２のノズル洗浄流路７２の各々は上述のように図８の洗浄水導入空間７０から分岐しており、洗浄水導入空間７０から供給される洗浄水をノズル洗浄孔２６ｈ，２６ｈｂからノズル洗浄筒２６，２６ｂの内部へ噴出させる。
【０１５１】
ノズル洗浄孔２６ｈ，２６ｈｂから噴出される洗浄水により、ノズル洗浄筒２６，２６ｂの内部では、ピストン２０，２０ｂが次のように動作する。
【０１５２】
なお、第１のノズル洗浄流路７１および第２のノズル洗浄流路７２からノズル洗浄筒２６，２６ｂの内部に洗浄水が噴出される前において、ピストン２０，２０ｂは図１４に示すようにノズル洗浄筒２６，２６ｂの軸心からずれた場所に位置している。ピストン２０，２０ｂは、図１２の開口部２０Ｘにより揺動性を有した状態でシリンダ２１，２１ｂの内部に収納されている。
【０１５３】
図１５は、図８の第１のノズル洗浄流路７１からノズル洗浄筒２６の内部に洗浄水が噴出される場合のピストン２０の動作を説明するための説明図である。ここでは、おしりノズル１の垂直断面方向における洗浄水の流れおよびピストン２０の移動について説明する。ここで、ピストン２０の軸心をＣｎとする。
【０１５４】
図１５（ａ）に示すように、第１のノズル洗浄流路７１からノズル洗浄孔２６ｈを介してノズル洗浄筒２６の内部に洗浄水が噴出される。この場合、洗浄水は、ノズル洗浄筒２６の内部を矢印Ｒ１，Ｒ２に示すように流れてゆく。
【０１５５】
ノズル洗浄孔２６ｈからの洗浄水の噴出時において、ピストン２０はノズル洗浄筒２６の下部に位置している。ピストン２０は、ピストン２０とノズル洗浄筒２６の下部側内壁との間に流れ込む（矢印Ｒ２）洗浄水により圧力を受け、軸心Ｃｎが移動する。
【０１５６】
図１５（ｂ）に示すように、図１５（ａ）の状態から継続してノズル洗浄筒２６の内部に洗浄水が噴出されると、洗浄水はノズル洗浄筒２６の内部を矢印Ｒ１，Ｒ２，Ｒ３に示すように流れてゆく。
【０１５７】
この場合、図１５（ａ）に示す移動によりノズル洗浄筒２６の上部に移動したピストン２０は、ピストン２０とノズル洗浄筒２６の側部側内壁との間に流れ込む（矢印Ｒ３）洗浄水により圧力を受け、軸心Ｃｎが移動する。
【０１５８】
図１５（ｃ）に示すように、図１５（ｂ）の状態からさらに継続してノズル洗浄筒２６の内部に洗浄水が噴出されると、洗浄水はノズル洗浄筒２６の内部を矢印Ｒ１，Ｒ２，Ｒ３，Ｒ４に示すように流れてゆく。
【０１５９】
ピストン２０の軸心Ｃｎは、ピストン２０の外周面とノズル洗浄筒２６の内壁との間を流れる洗浄水が発生する圧力により、ノズル洗浄筒２６の軸心を中心としてランダムな方向に微小な移動（振動）を繰り返す。このようなノズル洗浄筒２６内部での流体圧力によるピストン２０の振動は、一般に自励振動と呼ばれる振動となる。
【０１６０】
このような自励振動を発生させるため、ノズル洗浄孔２６ｈは、図１４の１点鎖線で示すように、ノズル洗浄筒２６の軸心とピストン２０の軸心とが一致した場合のピストン２０の外周面接線方向（図１４の点Ｆにおける接線方向）に洗浄水を噴出できるように設けられることが望ましい。また、ピストン２０は、軽量に構成されていることが望ましい。
【０１６１】
このように、洗浄水がノズル洗浄孔２６ｈを通してピストン２０の外周面接線方向に噴出されると、洗浄水は噴出時の流速を損なうことなく、おしりノズル１の外周面の周囲を効率的に旋回する。
【０１６２】
また、自励振動を発生させるために、ノズル洗浄孔２６ｈの孔径は約０．７ｍｍ以上、約１．０ｍｍ以下とすることが望ましい。
【０１６３】
図１６は、ノズル洗浄筒２６の内部に噴出される洗浄水の流れを示す斜視図である。図１６に示すように、ノズル洗浄孔２６ｈから噴出された洗浄水は、ピストン２０の外周面に沿ってスパイラル状に旋回しつつ、ノズル洗浄筒２６の先端開口部から流出する。
【０１６４】
この流れは、ノズル部３０本体が傾斜しているため、ノズル洗浄孔２６ｈから噴出された洗浄水が、ピストン２０の外周面を旋回しつつ、下方へ流動することにより生じる。
【０１６５】
ここで、ノズル洗浄孔２６ｈはノズル洗浄筒２６の長手方向に対して垂直となるように設けられる。これにより、ノズル洗浄孔２６ｈから非常に速い流速で洗浄水が噴出された場合であっても、洗浄水はノズル洗浄筒２６の先端開口部から直接流出することはない。
【０１６６】
ノズル洗浄孔２６ｈから噴出された洗浄水がピストン２０の外周面に沿ってスパイラル状に流れることにより、洗浄水がピストン２０の先端部近傍の全面を洗浄する。そして、洗浄水の噴出時におけるピストン２０の自励振動により、ピストン２０の先端近傍に付着する汚れがより効果的に洗浄される。
【０１６７】
ノズル洗浄筒２６内部に噴出される洗浄水をピストン２０の外周面に沿って旋回させるためには、ノズル洗浄孔２６ｈから噴出される洗浄水の流速を所定の値以上となるように調整する必要がある。洗浄水の流速が増すことにより洗浄水の旋回力が増し、旋回流のピッチが短くなるためである。これにより、ピストン２０の洗浄面積が広がる。その結果、おしりノズル１およびビデノズル２の衛生状態を十分に確保することができる。
【０１６８】
本実施例においては、ノズル洗浄孔２６ｈから噴出される洗浄水の流速が約５〜１５ｍ／ｓとなるように調整することが望ましい。この場合、洗浄水はピストン２０の外周面を好適に旋回する。これにより、ピストン２０の自励振動が生じる。
【０１６９】
以上のように、ノズル洗浄ノズル３０はノズル洗浄筒２６，２６ｂとピストン２０との間の環状空間に洗浄水が導入されることにより、おしりノズル１およびビデノズル２の洗浄が行われるので構成が簡単になっており、省スペース化が実現されている。
【０１７０】
また、上述のように、ノズル洗浄筒２６，２６ｂの内径が、略円形に形成されたピストン２０，２０ｂの外径よりも大きいので、ノズル洗浄孔２６ｈ，２６ｈｂに導入される洗浄水がノズル洗浄筒２６，２６ｂとピストン２０，２０ｂとの間の空間を効率よく旋回する。その結果、おしりノズル１およびビデノズル２の外周面が満遍なく洗浄される。
【０１７１】
上記では、自励振動を発生させるために、ノズル洗浄孔２６ｈの孔径は約０．７ｍｍ以上、約１．０ｍｍ以下とすることが望ましいとしているが、ノズル洗浄孔２６ｈの孔径は約０．７ｍｍ以上、約１．０ｍｍ以下とすることにより、洗浄流量が０．５Ｌ／ｍｉｎ程度と低い場合でも、高い流速で十分な洗浄効果を得ることができる。
【０１７２】
図１７は、ノズル洗浄筒２６およびピストン２０の先端部の構造を説明するための模式図である。
【０１７３】
図１７（ａ）に示すように、ピストン２０の先端は、シリンダ２１への収納時にノズル洗浄筒２６の先端からわずかに突出している（矢印Ｈ１の範囲）。
【０１７４】
このように、ピストン２０の先端がノズル洗浄筒２６の先端から突出することにより、ノズル洗浄筒２６の内部に噴出される洗浄水の先端からの流出時にノズル洗浄筒２６の上面側に飛散することが防止される。この現象はコアンダ効果によるものである。
【０１７５】
コアンダ効果とは、流れの中に物体を置いた場合に、流体がその物体に沿って流れようとする性質をいう。すなわち、ピストン２０の外周面をスパイラル状に旋回しつつ、ノズル洗浄筒２６の先端より流出される洗浄水は、ピストン２０の略半球状の先端がノズル洗浄筒２６の先端から突出しているため、ノズル洗浄筒２６の上面側に飛散することなく、ピストン２０の先端に沿って流出する。
【０１７６】
ノズル洗浄筒２６およびピストン２０の先端部は図１７（ｂ）に示す構造を有してもよい。図１７（ｂ）において、ノズル洗浄筒２６の先端部上面側には所定の長さ（矢印Ｈ２）の切り欠きＮＶが設けられている。また、ピストン２０の先端は、切り欠きＮＶの無いノズル洗浄筒２６の先端からわずかに突出している（矢印Ｈ１の範囲）。
【０１７７】
この場合、ピストン２０の先端部に沿って流れようとする洗浄水の流れと、ノズル洗浄筒２６の内壁に沿って流れようとする洗浄水の流れにより、ノズル洗浄孔２６ｈから噴出される洗浄水がより効果的にノズル洗浄筒２６の先端部下方から流出する。したがって、ノズル洗浄筒２６の先端からの洗浄水の流出時に洗浄水がノズル洗浄筒２６の上面側に飛散することが確実に防止される。なお、ノズル洗浄筒２６の先端部上面側に設けられる切り欠きＮＶの円周方向の長さはノズル洗浄筒２６の約半周程度であることが望ましい。
【０１７８】
さらに、ノズル洗浄筒２６およびピストン２０の先端部は図１７（ｃ）に示す構造を有してもよい。
【０１７９】
図１７（ｃ）において、ノズル洗浄筒２６の先端部上面側にはシャッタＳＨがピンＰｉを介して上下に回動可能に取り付けられている。シャッタＳＨは、ピストン２０が矢印Ｇ１の方向に突出する際に、矢印Ｇ２の方向に回動する。
【０１８０】
シャッタＳＨによれば、ノズル洗浄筒２６の先端から流出する洗浄水がノズル洗浄筒２６の先端部上面側に飛散した場合でも、飛散した洗浄水がシャッタＳＨに付着して落下する。これにより、ノズル洗浄筒２６の先端から流出する洗浄水がノズル洗浄筒２６の先端部上面側に飛散することが確実に防止される。
【０１８１】
なお、ここでは、シャッタＳＨについて説明したが、これに限らずノズル洗浄筒２６の先端から流出する洗浄水の飛散を防止するものであれば、シャッタＳＨに代えてノズル洗浄筒２６の上面または上方に板などの飛散防止壁を設けてもよい。
【０１８２】
以上、図１５〜図１７に基づいておしりノズル１のノズル洗浄筒２６およびノズル洗浄孔２６ｈの形状ならびにピストン２０の自励振動について説明したが、ビデノズル２においてもノズル洗浄筒２６ｂおよびノズル洗浄孔２６ｈｂは同様の形状を有し、ピストン２０ｂは同様の自励振動を生じる。
【０１８３】
図１８は、使用者が図２のおしりスイッチ３０３および停止スイッチ３０５を押下操作した場合の図３のポンプ１３、洗浄用切替弁１４Ａおよび逃がし水切替弁１４Ｂの動作状態ならびに図３のノズル洗浄ノズル３からおしりノズル１およびビデノズル２に噴出される洗浄水の流量の変化を示す図である。
【０１８４】
図１８において、ノズル洗浄流量のグラフの縦軸は図３の止水電磁弁９を通過する洗浄水の流量に対するおしりノズル１およびビデノズル２に噴出される洗浄水の流量の割合を示し、横軸は時間を示す。また、グラフ中の実線Ｌ７０は、図８の洗浄水導入空間７０に導入される洗浄水の流量を表し、破線Ｌ７１は図８の第１のノズル洗浄流路７１からおしりノズル１に噴出される洗浄水の流量を示す。
【０１８５】
以下の説明において、ポンプ１３、洗浄用切替弁１４Ａおよび逃がし水切替弁１４Ｂの動作は図３の制御部４により制御されている。
【０１８６】
時点ｔａ１において、使用者がおしりスイッチ３０３を押下操作することによりポンプ１３がオンする。一方、洗浄用切替弁１４Ａがポンプ１３より圧送される洗浄水をノズル洗浄ノズル３へ供給するように図５のモータＭ１が回転される。他方、逃がし水切替弁１４Ｂが図３の分岐配管２０５より流れる洗浄水をノズル洗浄ノズル３へ供給するように図３のモータＭ２が回転される。
【０１８７】
これにより、図８の洗浄水導入空間７０には、ポンプ１３からの洗浄水と分岐配管２０５からの洗浄水とが供給される。この場合、グラフ中の実線Ｌ７０に示すように、洗浄水導入空間７０には１００％の流量で洗浄水が供給されている。
【０１８８】
洗浄水導入空間７０に供給された洗浄水は図１４の第１のノズル洗浄流路７１およびノズル洗浄孔２６ｈを介しておしりノズル１のピストン２０を洗浄し、第２のノズル洗浄流路７２およびノズル洗浄孔２６ｈｂを介して図１４のビデノズル２のピストン２０ｂを洗浄する。
【０１８９】
この場合、グラフ中の破線Ｌ７１に示すように、おしりノズル１およびビデノズル２の各々に噴出される洗浄水の流量は洗浄水導入空間７０に供給される洗浄水の流量の１／２となる。
【０１９０】
時点ｔａ２において、ポンプ１３はオンしたままである。一方、洗浄用切替弁１４Ａがポンプ１３より圧送される洗浄水をおしりノズル１へ供給するように図５のモータＭ１が回転される。他方、逃がし水切替弁１４Ｂが図３の分岐配管２０５より流れる洗浄水を逃がし水路２０７へ供給するように図３のモータＭ２が回転される。
【０１９１】
これにより、図８の洗浄水導入空間７０への洗浄水の供給が停止されるとともに、おしりノズル１に洗浄水が供給され、人体の局部の洗浄が行われる。使用者は、おしりノズル１による洗浄を終了したい場合、図２の停止スイッチ３０５を押下操作する。
【０１９２】
時点ｔａ３において、使用者が停止スイッチ３０５を押下操作することによりポンプ１３、洗浄用切替弁１４Ａおよび逃がし水切替弁１４Ｂは、上述の時点ｔａ１の場合と同様の動作を行う。これにより、図８の洗浄水導入空間７０にはポンプ１３からの洗浄水と分岐配管２０５からの洗浄水とが供給される。この場合、グラフ中の実線Ｌ７０に示すように、洗浄水導入空間７０には１００％の流量で洗浄水が供給されている。
【０１９３】
洗浄水導入空間７０に供給された洗浄水は、図１４の第１のノズル洗浄流路７１およびノズル洗浄孔２６ｈを介しておしりノズル１のピストン２０を洗浄し、第２のノズル洗浄流路７２およびノズル洗浄孔２６ｈｂを介してビデノズル２のピストン２０を洗浄する。
【０１９４】
この場合も上記と同様に、おしりノズル１およびビデノズル２の各々に噴出される洗浄水の流量は洗浄水導入空間７０に供給される洗浄水の流量の１／２となる。
【０１９５】
時点ｔａ４において、ポンプ１３がオフする他は、洗浄用切替弁１４Ａおよび逃がし水切替弁１４Ｂの動作は時点ｔａ２の場合と同様である。これにより、人体の局部の洗浄を行った後のおしりノズル１の洗浄が終了する。
【０１９６】
時点ｔａ１から時点ｔａ２までの時間および時点ｔａ３から時点ｔａ４までの時間は自由に設定できるが、１秒〜１０秒程度の範囲にすることが好ましい。
【０１９７】
上記のポンプ１３、洗浄用切替弁１４Ａおよび逃がし水切替弁１４Ｂは、使用者が図２のビデスイッチ３０６を押下操作した場合にも同様の動作を行う。
【０１９８】
このように、本実施例に係る衛生洗浄装置１００においては、使用者がおしりスイッチ３０３またはビデスイッチ３０６を押下操作した場合、おしりノズル１またはビデノズル２のピストン２０，２０ｂの突出前にノズル洗浄が行われ、おしり洗浄またはビデ洗浄の終了後、おしりノズル１またはビデノズル２のピストン２０，２０ｂの収納後にノズル洗浄が行われる。
【０１９９】
これにより、おしりノズル１およびビデノズル２は常に清潔に保たれる。また、使用者はノズル洗浄の状態を洗浄音等により知ることができ、おしりノズル１およびビデノズル２が常に清潔であるという安心感を得ることができる。
【０２００】
時点ｔａ１，ｔａ３において、逃がし水切替弁１４ＢのモータＭ２が回転され、分岐配管２０５からの洗浄水がノズル洗浄ノズル３に供給される。これにより、ノズル洗浄に用いられる洗浄水の流量が十分に確保されるので、おしりノズル１およびビデノズル２がより効率的に洗浄される。
【０２０１】
ノズル洗浄時に分岐配管２０５からの洗浄水をノズル洗浄ノズル３に供給する代わりに、ポンプ１３の駆動能力を高めることにより、洗浄用切替弁１４Ａを介して供給される洗浄水の流量を増加させてもよい。
【０２０２】
使用者は、おしりノズル１およびビデノズル２の洗浄のみを行いたい場合、ノズル洗浄スイッチ３０９を押下操作する。
【０２０３】
図１９は、使用者が図２のノズル洗浄スイッチ３０９を押下操作した場合の図３のポンプ１３、洗浄用切替弁１４Ａおよび逃がし水切替弁１４Ｂの動作状態ならびに図３のノズル洗浄ノズル３からおしりノズル１およびビデノズル２に噴出される洗浄水の流量の変化を示す図である。
【０２０４】
図１９のノズル洗浄流量のグラフにおいて、縦軸および横軸は図１８のノズル洗浄流量のグラフと同一の内容を示し、実線Ｌ７０および破線Ｌ７１についても図１８のグラフと同一の内容を示す。
【０２０５】
以下の説明において、ポンプ１３、洗浄用切替弁１４Ａおよび逃がし水切替弁１４Ｂの動作は図３の制御部４により制御されている。
【０２０６】
時点ｔｂ１において、使用者がノズル洗浄スイッチ３０９を押下操作することによりポンプ１３がオンする。一方、洗浄用切替弁１４Ａがポンプ１３より圧送される洗浄水をノズル洗浄ノズル３へ供給するように図５のモータＭ１が回転される。他方、逃がし水切替弁１４Ｂが図３の分岐配管２０５より流れる洗浄水をノズル洗浄ノズル３へ供給するように図３のモータＭ２が回転される。
【０２０７】
これにより、図８の洗浄水導入空間７０には、ポンプ１３からの洗浄水と分岐配管２０５からの洗浄水とが供給される。この場合、グラフ中の実線Ｌ７０に示すように、洗浄水導入空間７０には１００％の流量で洗浄水が供給されている。
【０２０８】
洗浄水導入空間７０に供給された洗浄水は図１４の第１のノズル洗浄流路７１およびノズル洗浄孔２６ｈを介しておしりノズル１のピストン２０を洗浄し、第２のノズル洗浄流路７２およびノズル洗浄孔２６ｈｂを介して図１４のビデノズル２のピストン２０ｂを洗浄する。
【０２０９】
この場合、グラフ中の破線Ｌ７１に示すように、おしりノズル１およびビデノズル２の各々に噴出される洗浄水の流量は洗浄水導入空間７０に供給される洗浄水の流量の１／２となる。
【０２１０】
時点ｔｂ２において、ポンプ１３はオフする。一方、洗浄用切替弁１４Ａの図５のモータＭ１が各種洗浄動作が行われない場合の所定位置まで回転される。他方、逃がし水切替弁１４Ｂが図３の分岐配管２０５より流れる洗浄水を逃がし水路２０７へ供給するように図３のモータＭ２が回転される。これにより、図８の洗浄水導入空間７０への洗浄水の供給が停止される。
【０２１１】
このように、使用者はノズル洗浄スイッチ３０９を押下操作することによりノズル洗浄のみを行うことができる。これにより、おしりノズル１およびビデノズル２は、使用者の意図に応じてより頻度の高い洗浄が行われる。したがって、使用者はノズル洗浄スイッチ３０９を押下操作することにより、おしりノズル１およびビデノズル２が清潔であるという安心感を得ることができる。
【０２１２】
時点ｔｂ１において、逃がし水切替弁１４ＢのモータＭ２の回転により分岐配管２０５からの洗浄水がノズル洗浄ノズル３に供給される。これにより、ノズル洗浄に用いられる洗浄水の流量が十分に確保されるので、おしりノズル１およびビデノズル２がより効率的に洗浄される。
【０２１３】
ノズル洗浄時に分岐配管２０５からの洗浄水をノズル洗浄ノズル３に供給する代わりに、ポンプ１３の駆動能力を高めることにより、洗浄用切替弁１４Ａを介して供給される洗浄水の流量を増加させてもよい。
【０２１４】
上記において、時点ｔｂ１から時点ｔｂ２までの時間は自由に設定できるが、使用者によるノズル洗浄の洗浄状態に対する安心感を考慮した場合、少なくとも１分以上にすることが好ましい。また、時点ｔｂ２のタイミングは、使用者による停止スイッチ３０５の押下操作により決定してもよい。
【０２１５】
使用者は、おしりノズル１およびビデノズル２に対して、除菌等のより洗浄効果の高い洗浄を行いたい場合、高温ノズル洗浄スイッチ３１０を押下操作する。
【０２１６】
図２０は、使用者が図２の高温ノズル洗浄スイッチ３１０を押下操作した場合の図３のポンプ１３、洗浄用切替弁１４Ａ、逃がし水切替弁１４Ｂおよび熱交換器１１の動作状態ならびに図３のノズル洗浄ノズル３からおしりノズル１およびビデノズル２に噴出される洗浄水の流量の変化を示す図である。
【０２１７】
図２０のノズル洗浄流量のグラフにおいて、縦軸および横軸は図１８のノズル洗浄流量のグラフと同一の内容を示し、実線Ｌ７０および破線Ｌ７１についても図１８のグラフと同一の内容を示す。
【０２１８】
以下の説明において、ポンプ１３、洗浄用切替弁１４Ａ、逃がし水切替弁１４Ｂおよび熱交換器１１の動作は図３の制御部４により制御されている。
【０２１９】
時点ｔｃ１において、使用者が高温ノズル洗浄スイッチ３１０を押下操作することによりポンプ１３および熱交換器１１がオンする。一方、洗浄用切替弁１４Ａがポンプ１３より圧送される洗浄水をノズル洗浄ノズル３へ供給するように図５のモータＭ１が回転される。他方、逃がし水切替弁１４Ｂが図３の分岐配管２０５より流れる洗浄水をノズル洗浄ノズル３へ供給するように図３のモータＭ２が回転される。
【０２２０】
これにより、図８の洗浄水導入空間７０には、ポンプ１３からの洗浄水と分岐配管２０５からの洗浄水とが供給される。この場合、グラフ中の実線Ｌ７０に示すように、洗浄水導入空間７０には１００％の流量で洗浄水が供給されている。
【０２２１】
洗浄水導入空間７０に供給された洗浄水は図１４の第１のノズル洗浄流路７１およびノズル洗浄孔２６ｈを介しておしりノズル１のピストン２０を洗浄し、第２のノズル洗浄流路７２およびノズル洗浄孔２６ｈｂを介して図１４のビデノズル２のピストン２０ｂを洗浄する。
【０２２２】
この場合、グラフ中の破線Ｌ７１に示すように、おしりノズル１およびビデノズル２の各々に噴出される洗浄水の流量は洗浄水導入空間７０に供給される洗浄水の流量の１／２となる。
【０２２３】
時点ｔｃ２において、ポンプ１３および熱交換器１１はオンしたままである。また、洗浄用切替弁１４Ａがポンプ１３より圧送される洗浄水をノズル洗浄ノズル３へ供給するように図５のモータＭ１が回転された状態で保持される。他方、逃がし水切替弁１４Ｂが図３の分岐配管２０５より流れる洗浄水を逃がし水路２０７へ供給するように図３のモータＭ２が回転される。
【０２２４】
ここで、ポンプ１３は駆動能力が低下される。これにより、熱交換器１１により加熱される洗浄水の温度が上昇する。例えば、約１ｋＷの熱交換器１１を想定する。この熱交換器１１に約２０℃の洗浄水を０．３Ｌ／ｍｉｎの流量で通過させた場合、洗浄水の温度は約４０℃上昇する。その結果、約６０℃の洗浄水が得られる。
【０２２５】
これら、ポンプ１３、洗浄用切替弁１４Ａ、逃がし水切替弁１４Ｂおよび熱交換器１１の動作により、図８の洗浄水導入空間７０には、熱交換器１１、ポンプ１３および洗浄用切替弁１４Ａを介して高温の洗浄水のみが供給される。
【０２２６】
この場合、図２０のグラフでは、実線Ｌ７０に示すように洗浄水導入空間７０には３０％の流量で高温の洗浄水が供給されている。
【０２２７】
洗浄水導入空間７０に供給された洗浄水は、図１４の第１のノズル洗浄流路７１およびノズル洗浄孔２６ｈを介しておしりノズル１のピストン２０を洗浄し、第２のノズル洗浄流路７２およびノズル洗浄孔２６ｈｂを介してビデノズル２のピストン２０を洗浄する。
【０２２８】
グラフ中の破線Ｌ７１に示すように、おしりノズル１およびビデノズル２の各々に噴出される洗浄水の流量は洗浄水導入空間７０に供給される洗浄水の流量の１／２となる。
【０２２９】
時点ｔｃ３において、ポンプ１３、洗浄用切替弁１４Ａ、逃がし水切替弁１４Ｂおよび熱交換器１１は、上述の時点ｔｃ１の場合と同様の動作を行う。これにより、図８の洗浄水導入空間７０にはポンプ１３からの洗浄水と分岐配管２０５からの洗浄水とが供給される。この場合、グラフ中の実線Ｌ７０に示すように、洗浄水導入空間７０には１００％の流量で洗浄水が供給されている。
【０２３０】
洗浄水導入空間７０に供給された洗浄水は、図１４の第１のノズル洗浄流路７１およびノズル洗浄孔２６ｈを介しておしりノズル１のピストン２０を洗浄し、第２のノズル洗浄流路７２およびノズル洗浄孔２６ｈｂを介してビデノズル２のピストン２０を洗浄する。
【０２３１】
この場合も上記と同様に、おしりノズル１およびビデノズル２の各々に噴出される洗浄水の流量は洗浄水導入空間７０に供給される洗浄水の流量の１／２となる。
【０２３２】
時点ｔｃ４において、ポンプ１３および熱交換器１１はオフする。一方、洗浄用切替弁１４Ａの図５のモータＭ１が各種洗浄動作が行われない場合の所定位置まで回転される。他方、逃がし水切替弁１４Ｂが、図３の分岐配管２０５より流れる洗浄水を逃がし水路２０７へ供給するように図３のモータＭ２が回転される。これにより、図８の洗浄水導入空間７０への洗浄水の供給が停止される。
【０２３３】
時点ｔｃ１から時点ｔｃ２までの時間および時点ｔｃ３から時点ｔｃ４までの時間は自由に設定できるが、１秒〜１０秒程度の範囲にすることが好ましい。また、時点ｔｃ２から時点ｔｃ３の間隔は自由に設定できるが、おしりノズル１およびビデノズル２のより効果的な洗浄を得るために１分〜３分程度の範囲にすることが好ましい。
【０２３４】
このように、本実施例に係る衛生洗浄装置１００においては、使用者が高温ノズル洗浄スイッチ３１０を押下操作した場合、初めに多量の洗浄水によるノズル洗浄が行われ、次に高温の洗浄水によるノズル洗浄が行われ、最後に再び多量の洗浄水によるノズル洗浄が行われる。これにより、おしりノズル１およびビデノズル２に付着する汚れが確実に除去される。
【０２３５】
また、高温の洗浄水がステンレスで構成されたおしりノズル１およびビデノズル２に噴出されることにより減菌、除菌または殺菌効果が得られる。
【０２３６】
薄肉化されたステンレスにより構成されるおしりノズル１およびビデノズル２によれば、樹脂などに比べて高い熱伝導率を有するので、洗浄水の温度が約６０℃以上の範囲で十分な除菌効果が得られる。したがって、７０〜１００℃まで洗浄水を加熱しなくても十分な除菌効果が得られる。その結果、省エネルギー化が実現する。
【０２３７】
使用者は、高温の洗浄水によりおしりノズル１およびビデノズル２が減菌、除菌または殺菌されるので清潔であるという安心感を得ることができる。
【０２３８】
時点ｔｃ１から時点ｔｃ２までの時間および時点ｔｃ３から時点ｔｃ４までの時間に分岐配管２０５からの洗浄水をノズル洗浄ノズル３に供給する代わりに、ポンプ１３の駆動能力を高めることにより、洗浄用切替弁１４Ａを介して供給される洗浄水の流量を増加させてもよい。
【０２３９】
上記の高温の洗浄水によるノズル洗浄は、着座センサ５１が便座部４００上に人体を検出した場合に動作しない。例えば、使用者が便座部４００上に着座している際に誤って高温ノズル洗浄スイッチ３１０を押下操作した場合、図３の制御部４は着座センサ５１から入力される便座部４００上の使用者の有無の信号に基づいて、高温の洗浄水によるノズル洗浄動作を無効にする。
【０２４０】
これにより、使用者は、自己が便座部４００に着座した状態で誤って高温ノズル洗浄スイッチ３１０を押下操作した場合でも、高温の洗浄水が飛散することが防止される。
【０２４１】
以上のように、本実施例に係る衛生洗浄装置１００においては、おしりノズル１およびビデノズル２のピストン２０，２０ｂおよびシリンダ２１，２１ｂの形状および構成、ノズル洗浄時の洗浄水の流量ならびにノズル洗浄時の高温の洗浄水の適用により、簡単な構成で人体洗浄ノズルの衛生状態を十分に確保することができる。
【０２４２】
（他の加熱装置を使用する例）
第１の実施例に係る衛生洗浄装置１００は、高温の洗浄水を得るために他の瞬間式加熱装置を用いてもよい。
【０２４３】
図２１は、他の瞬間式加熱装置を用いた場合の本発明の第１の実施例に係る衛生洗浄装置１００の本体部２００の構成を示す模式図である。図２１の衛生洗浄装置１００は以下の点を除き図３の衛生洗浄装置１００と同様の構成および動作を有する。
【０２４４】
本例では、逃がし水切替弁１４Ｂとノズル洗浄ノズル３とを接続する供給配管２６６に瞬間加熱装置１１Ｘが取り付けられている。制御部４は、サーミスタ１１Ｘａおよびサーモスタット１１Ｘｂより入力される信号に基づいて瞬間加熱装置１１Ｘの動作を制御する。
【０２４５】
図２１の制御部４は、上記構成において、例えば次のような動作を行う。
【０２４６】
制御部４は、使用者による図２の遠隔操作装置３００の高温ノズル洗浄スイッチ３１０の押下操作に伴い止水電磁弁９、逃がし水切替弁１４Ｂおよび瞬間加熱装置１１Ｘの動作を制御する。
【０２４７】
初めに、制御部４は止水電磁弁９を開く。この場合、止水電磁弁９が開くことにより分岐配管２０５に洗浄水が供給される。同時に制御部４は、分岐配管２０５の洗浄水を供給水路２６６へ供給できるように逃がし水切替弁１４ＢのモータＭ２を回転させる。これにより、供給水路２６６に洗浄水が供給される。
【０２４８】
ここで、逃がし水切替弁１４Ｂにおいては、分岐配管２０５からの洗浄水の供給先が逃がし水路２０７または供給水路２６６に切り換えられるとともに、各配管に供給する洗浄水の割合が調整される。それにより、供給水路２６６には所定量の洗浄水が供給される。
【０２４９】
制御部４は瞬間加熱装置１１Ｘをオンする。これにより、供給水路２６６に供給される洗浄水は、後述する瞬間加熱装置１１Ｘの動作により加熱され、高温水（約８０〜１００℃：以下、超高温水と称す。）または蒸気となる。
【０２５０】
瞬間加熱装置１１Ｘにより加熱された洗浄水が、ノズル洗浄ノズル３に供給されることによりノズル洗浄が行われる。それにより、おしりノズル１およびビデノズル２に付着した汚れが超高温水または蒸気により剥離され、図１の便器６００内に流される。その結果、おしりノズル１およびビデノズル２の噴出孔の周辺の除菌、殺菌および洗浄等が行われる。
【０２５１】
ここで、瞬間加熱装置１１Ｘの詳細について説明する。図２２は、瞬間加熱装置１１Ｘの構造を示す一部切り欠き断面図である。図２２において、瞬間加熱装置１１Ｘは、ケーシング５０４、シーズヒータ５０５、熱伝導体５０６、配管５１０、サーミスタ１１Ｘａ、サーモスタット１１Ｘｂおよび温度ヒューズ１１Ｘｃを含む。ここで、配管５１０は給水口５１１および排出口５１２を介して図２１の供給水路２６６に取り付けられる。
【０２５２】
ケーシング５０４は略直方体形状を有する。ケーシング５０４内には配管５１０とシーズヒータ５０５とが長手方向に延びるように所定の間隔をおいて併設されており、各々の両端部はケーシング５０４の両端面から外部へ突出している。
【０２５３】
ケーシング５０４内において、配管５１０およびシーズヒータ５０５は熱伝導体５０６に覆われている。シーズヒータ５０５は電熱線を内蔵し、電力が供給されることにより発熱する。
【０２５４】
上述のノズル洗浄時においては、図４の洗浄用切替弁１４Ａの洗浄水出口１４３ｅから供給される洗浄水が給水口５１１から配管５１０内へ導入される。
【０２５５】
シーズヒータ５０５に電力が供給されると、シーズヒータ５０５により発生する熱が熱伝導体５０６を通じて配管５１０に伝達される。これにより、配管５１０内に導入された洗浄水が加熱され、超高温水または蒸気が排出口５１２から排出される。
【０２５６】
ここで、図２２において配管５１０の給水口５１１側を瞬間加熱装置１１Ｘの上流側とし、排出口５１２側を瞬間加熱装置１１Ｘの下流側とすると、サーミスタ１１Ｘａおよびサーモスタット１１Ｘｂは瞬間加熱装置１１Ｘの下流側に設けられている。また、温度ヒューズ１１Ｘｃはケーシング５０４の側面に設けられている。
【０２５７】
なお、本実施例において、サーミスタ１１Ｘａ、サーモスタット１１Ｘｂおよび温度ヒューズ１１Ｘｃは、各々動作基準温度が異なる。それにより、３段階の過熱防止の調整を行うことができる。さらに、サーミスタ１１Ｘａ、サーモスタット１１Ｘｂおよび温度ヒューズ１１Ｘｃの、いずれか１つが故障しても、残りの２つにより過熱が防止される。
【０２５８】
サーミスタ１１Ｘａは、シーズヒータ５０５に取り付けられ、シーズヒータ５０５の温度を検知する。制御部４は、サーミスタ１１Ｘａから与えられるシーズヒータ５０５の温度を判定し、過熱状態にある場合、シーズヒータ５０５の温度を低下させるように制御を行う。
【０２５９】
サーモスタット１１Ｘｂは、配管５１０内を流通する洗浄水の温度を検知可能に取り付けられる。配管５１０内を流通する洗浄水の温度がサーモスタット１１Ｘｂの動作基準温度を超過した場合、サーモスタット１１Ｘｂは、シーズヒータ５０５の電力供給を遮断するように動作する。
【０２６０】
最後に、温度ヒューズ１１Ｘｃは、ケーシング５０４に密着固定されている。ケーシング５０４の温度が温度ヒューズ１１Ｘｃの動作基準温度を超過した場合、温度ヒューズ１１Ｘｃが溶断することによりシーズヒータ５０５への電力供給が遮断される。
【０２６１】
以上のサーミスタ１１Ｘａ、サーモスタット１１Ｘｂおよび温度ヒューズ１１Ｘｃの働きにより、シーズヒータ５０５による洗浄水の過熱およびシーズヒータ５０５自体の過熱が防止される。
【０２６２】
本例の瞬間加熱装置１１Ｘには、洗浄水の加熱手段としてシーズヒータ５０５を用いるが、これに限らず、マイカヒータ、セラミックヒータ、またはプリントヒータ等を用いてもよい。
【０２６３】
さらに、サーミスタ１１Ｘａ、サーモスタット１１Ｘｂおよび温度ヒューズ１１Ｘｃの各々が瞬間加熱装置１１Ｘの過熱を防止しているが、サーミスタ１１Ｘａまたはサーモスタット１１Ｘｂを制御部４と接続することにより、制御部４がサーミスタ１１Ｘａまたはサーモスタット１１Ｘｂの温度測定値に基づいてシーズヒータ５０５の温度をフィードバック制御またはフィードフォワード制御してもよい。
【０２６４】
なお、本例では、図３の衛生洗浄装置１００と同様に、超高温水または蒸気によるノズル洗浄は、着座センサ５１が便座部４００上に人体を検出した場合に動作しないように設定されることが望ましい。このような設定がなされることにより、使用者は、自己が便座部４００に着座した状態で誤って高温ノズル洗浄スイッチ３１０を押下操作した場合でも、超高温水の飛散および蒸気の漏れが防止される。
【０２６５】
また、本例では瞬間加熱装置１１Ｘのオン／オフを切り換えることにより、図３の衛生洗浄装置１００と同様に、ノズル洗浄ノズル３へ供給する洗浄水の流量を増加させもよい。この場合、必要に応じてノズル洗浄ノズル３へ供給する洗浄水の流量を増加させることができるので、ノズル洗浄時に多量の洗浄水で汚れを流すことができる。
【０２６６】
（実施例２）
第２の実施例に係る衛生洗浄装置１００は以下の点を除き第１の実施例に係る衛生洗浄装置１００と同様の構成および動作を有する。
【０２６７】
図２３は、第２の実施例に係る遠隔操作装置３００の一例を示す模式図である。
【０２６８】
図２３に示すように、第２の実施例に係る遠隔操作装置３００は、第１の実施例に係る図２のノズル洗浄スイッチ３０９および高温ノズル洗浄スイッチ３１０に代えておしりノズル洗浄スイッチ３１１およびビデノズル洗浄スイッチ３１２を備える。
【０２６９】
使用者によりおしりノズル洗浄スイッチ３１１およびビデノズル洗浄スイッチ３１２が押下操作される。それにより、遠隔操作装置３００は、後述する衛生洗浄装置１００の本体部２００に設けられた制御部に所定の信号を無線送信する。本体部２００の制御部は、遠隔操作装置３００より無線送信される所定の信号を受信し、洗浄水供給機構等を制御する。
【０２７０】
例えば、使用者が、おしりノズル洗浄スイッチ３１１を押下操作することにより図１のノズル部３０に設けられるおしりノズルの洗浄水による洗浄が行われ、ビデノズル洗浄スイッチ３１２を押下操作することにより図１のノズル部３０に設けられるビデノズルの洗浄水による洗浄が行われる。おしりノズル洗浄スイッチ３１１およびビデノズル洗浄スイッチ３１２の押下操作によるノズル部３０の洗浄動作の詳細については後述する。
【０２７１】
以下、本発明の第２の実施例に係る衛生洗浄装置１００の本体部２００について説明を行う。図２４は本発明の第２の実施例に係る衛生洗浄装置１００の本体部２００の構成を示す模式図である。
【０２７２】
図２４に示す本体部２００は、配管２０２の止水電磁弁９の下流側に逃がし水路２０７が直接設けられている。また、ノズル洗浄ノズル３が第１の洗浄ノズル３ａおよび第２の洗浄ノズル３ｂから構成されており、洗浄用切替弁１４Ａが、ポンプ１３から供給される洗浄水を、おしりノズル１、ビデノズル２、第１の洗浄ノズル３ａおよび第２の洗浄ノズル３ｂのいずれかに供給できる構成となっている。洗浄用切替弁１４ＡはモータＭ３を備える。
【０２７３】
ここで、図２４の第１の洗浄ノズル３ａおよび第２の洗浄ノズル３ｂの詳細を図２５に基づき説明する。図２５は、第２の実施例に係るノズル部３０の外観斜視図である。
【０２７４】
図２５において、第２の実施例に係るノズル部３０は第１の実施例に係る図８のノズル部３０とほぼ同様の構成を有するが、ノズル洗浄ノズル３が第１の洗浄ノズル３ａおよび第２の洗浄ノズル３ｂから構成されている。
【０２７５】
第１の洗浄ノズル３ａは、おしりノズル１に一体成形された側壁７０Ｗと境界片７３と密閉部材３Ｋとからなる。第２の洗浄ノズル３ｂは、ビデノズル２に一体成形された側壁７０Ｗと境界片７３と密閉部材３Ｋとからなる。第１の洗浄ノズル３ａおよび第２の洗浄ノズル３ｂの各々は境界片７３を介して一体成形されている。
【０２７６】
密閉部材３Ｋが側壁７０Ｗおよび境界片７３の上面に取り付けられることにより（図８の矢印Ｅ）、第１の洗浄水導入空間７０ａ、第２の洗浄水導入空間７０ｂ、第１のノズル洗浄流路７１および第２のノズル洗浄流路７２が形成される。
【０２７７】
第１の洗浄水導入空間７０ａは、密閉部材３Ｋの後端に位置する洗浄水導入片３Ｋａに設けられた貫通孔を介して外部と連通している。第２の洗浄水導入空間７０ｂは、密閉部材３Ｋの後端に位置する洗浄水導入片３Ｋｂに設けられた貫通孔を介して外部と連通している。
【０２７８】
第１の洗浄水導入空間７０ａから延長して形成された第１のノズル洗浄流路７１は、おしりノズル１側上面に位置する。第２の洗浄水導入空間７０ｂから延長して形成された第２のノズル洗浄流路７２は、ビデノズル２側上面に位置する。
【０２７９】
密閉部材３Ｋの洗浄水導入片３Ｋａ，３Ｋｂには、図示しないチューブ等が取り付けられる。洗浄水導入片３Ｋａ，３Ｋｂはチューブを介して洗浄用切替弁１４Ａの任意の洗浄水出口とそれぞれ接続される。これにより、洗浄水がチューブを通じて第１の洗浄ノズル３ａおよび第２の洗浄ノズル３ｂに供給される。
【０２８０】
次に、使用者が、おしりノズル洗浄スイッチ３１１またはビデノズル洗浄スイッチ３１２を押下操作した場合の本体部２００の動作を図２４に基づき説明する。
【０２８１】
使用者がおしりノズル洗浄スイッチ３１１を押下操作した場合、図２４の制御部４は、例えば、次のような動作を行う。
【０２８２】
制御部４は、図２の遠隔操作装置３００から送られるノズル洗浄スイッチ３１１の信号を受信することにより、ポンプ１３を駆動し、図４の熱交換器１１のセラミックヒータ５０５の温度を制御する。そして、洗浄用切替弁１４ＡのモータＭ３を回転させることにより、ポンプ１３から第１の洗浄ノズル３ａへ洗浄水を供給する。これにより、第１の洗浄ノズル３ａからおしりノズル１へ洗浄水が噴出され、おしりノズル１のノズル洗浄が行われる。
【０２８３】
上記の一連の動作は、使用者がビデノズル洗浄スイッチ３１２を押下操作した場合にも同様に行われる。この場合、ポンプ１３から第２の洗浄ノズル３ｂに供給された洗浄水がビデノズル２に噴出され、ビデノズル２のノズル洗浄が行われる。
【０２８４】
このように、本実施例に係る衛生洗浄装置１００によれば、おしりノズル１およびビデノズル２に対して、個別にノズル洗浄を行うことができる。したがって、ポンプ１３が駆動することにより得られる洗浄水の流量が少ない場合であっても、ポンプ１３から供給される洗浄水の全てが個々のノズル洗浄に用いられるので、十分な流量でノズル洗浄を行うことができる。その結果、ノズル洗浄を行うことにより、おしりノズル１およびビデノズル２の各々がより清潔に保たれる。
【０２８５】
上記の制御部４の動作において、制御部４はポンプ１３の駆動時にポンプ１３の駆動能力を低くしてもよい。この場合、ポンプ１３の駆動能力が低くされることにより、熱交換器１１により加熱される洗浄水の温度が上昇する。それにより、第１の洗浄ノズル３ａには高温の洗浄水が供給され、おしりノズル１が高温の洗浄水により洗浄される。その結果、洗浄水の温度を約６０℃程度に設定することにより、ノズル洗浄時に優れた洗浄効果および除菌効果を得ることができる。
【０２８６】
なお、この場合、ポンプ１３から第１の洗浄ノズル３ａに供給される洗浄水の流量は減少するが、ポンプ１３が吐出する洗浄水の全てが分流されることなく第１の洗浄ノズル３ａにのみ供給されるので、第１の実施例のようにポンプ１３が吐出する洗浄水を分流し、おしりノズル１およびビデノズル２を一度に洗浄する構成に比べて、ノズル洗浄時の洗浄水の流量を多くすることができる。
【０２８７】
上記の洗浄水の温度調整は熱交換器１１への電力を調整することにより行ってもよい。
【０２８８】
高温の洗浄水によるノズル洗浄が行われる場合、制御部４は第１の実施例と同様に着座センサ５１が便座部４００上に人体を検出したときにノズル洗浄の動作をしない。
【０２８９】
以上、第１および第２の実施例に係る衛生洗浄装置においては、おしりノズル１およびビデノズル２が人体洗浄ノズル装置に相当し、噴出孔４０１ａが噴出孔に相当し、ノズル洗浄筒２６，２６ｂがノズル洗浄部材に相当し、ノズル洗浄孔２６ｈ，２６ｈｂが洗浄水導入孔に相当する。
【０２９０】
また、シリンダ２１，２１ｂがシリンダ部に相当し、ピストン２０，２０ｂがピストン部に相当し、一流路管４０３が管路に相当し、ノズルカバー４０１がカバー部材に相当し、孔部２５が孔部に相当し、流路合流部４０４が噴出部材に相当する。
【０２９１】
さらに、切り欠きＮＶが切り欠きに相当し、シャッタＳＨが洗浄水飛散防止片に相当し、洗浄用切替弁１４Ａおよびポンプ１３が第１の洗浄水供給手段に相当し、洗浄用切替弁１４Ａ、逃がし水切替弁１４Ｂ、供給水路２６６およびポンプ１３が第２の洗浄水供給手段に相当する。
【０２９２】
また、熱交換器１１および瞬間加熱装置１１Ｘが加熱装置に相当し、着座センサ５１が人体検出センサに相当し、分岐配管２０５が分岐配管に相当し、制御部４が制御部に相当する。
【産業上の利用可能性】
【０２９３】
本発明は、人体の局部を洗浄する人体洗浄ノズルを洗浄するノズル装置およびそれを備えた衛生洗浄装置として有用である。
【図面の簡単な説明】
【０２９４】
【図１】図１は本発明の第１の実施例に係る衛生洗浄装置を便器に装着した状態を示す斜視図
【図２】図１の遠隔操作装置の一例を示す模式図
【図３】本発明の第１の実施例に係る衛生洗浄装置の本体部の構成を示す模式図
【図４】熱交換器の構造の一例を示す一部切り欠き断面図
【図５】（ａ）は洗浄用切替弁の縦断面図であり、（ｂ）は（ａ）の洗浄用切替弁のＡ−Ａ線断面図であり、（ｃ）は（ａ）の洗浄用切替弁のＢ−Ｂ線断面図であり、（ｄ）は（ａ）の洗浄用切替弁のＣ−Ｃ線断面図
【図６】図５の洗浄用切替弁の動作を示す断面図
【図７】図６の洗浄用切替弁の洗浄水出口からおしりノズルに流出する洗浄水の流量、洗浄水出口からビデノズルに流出する洗浄水の流量および洗浄水出口からノズル洗浄ノズルに流出する洗浄水の流量を示す図
【図８】図１のノズル部の外観斜視図
【図９】ノズル部のおしりノズルのピストンの斜視図
【図１０】図１０はピストンの分解斜視図
【図１１】（ａ）はピストンの側面図であり、（ｂ）はピストンの平面図
【図１２】図８のおしりノズルの軸方向の横断面図
【図１３】図１２のおしりノズルの動作を説明するための横断面図
【図１４】図８のノズル部のＹ−Ｙ線断面図
【図１５】図８の第１のノズル洗浄流路からノズル洗浄筒の内部に洗浄水が噴出される場合のピストンの動作を説明するための説明図
【図１６】ノズル洗浄筒の内部に噴出される洗浄水の流れを示す斜視図
【図１７】ノズル洗浄筒およびピストンの先端部の構造を説明するための模式図
【図１８】使用者が図２のおしりスイッチおよび停止スイッチを押下操作した場合の図３のポンプ、洗浄用切替弁および逃がし水切替弁の動作状態ならびに図３のノズル洗浄ノズルからおしりノズルおよびビデノズルに噴出される洗浄水の流量の変化を示す図
【図１９】使用者が図２のノズル洗浄スイッチを押下操作した場合の図３のポンプ、洗浄用切替弁および逃がし水切替弁の動作状態ならびに図３のノズル洗浄ノズルからおしりノズルおよびビデノズルに噴出される洗浄水の流量の変化を示す図
【図２０】使用者が図２の高温ノズル洗浄スイッチを押下操作した場合の図３のポンプ、洗浄用切替弁、逃がし水切替弁および熱交換器の動作状態ならびに図３のノズル洗浄ノズルからおしりノズルおよびビデノズルに噴出される洗浄水の流量の変化を示す図
【図２１】他の瞬間式加熱装置を用いた場合の本発明の第１の実施例に係る衛生洗浄装置の本体部の構成を示す模式図
【図２２】瞬間加熱装置の構造を示す一部切り欠き断面図
【図２３】第２の実施例に係る遠隔操作装置の一例を示す模式図
【図２４】本発明の第２の実施例に係る衛生洗浄装置の本体部の構成を示す模式図
【図２５】第２の実施例に係るノズル部の外観斜視図
【符号の説明】
【０２９５】
１  おしりノズル
２  ビデノズル
３  ノズル洗浄ノズル
４  制御部
１１  熱交換器
１１Ｘ  瞬間加熱装置
１３  ポンプ
１４Ａ  洗浄用切替弁
１４Ｂ  逃がし水切替弁
２０，２０ｂ  ピストン
２０Ｘ  開口部
２１，２１ｂ  シリンダ
２５  孔部
２６，２６ｂ  ノズル洗浄筒
２６ｈ，２６ｈｂ  ノズル洗浄孔
３０  ノズル部
５１  着座センサ
１００  衛生洗浄装置
２０５  分岐配管
２６６  供給水路
４００  便座部
４０１  ノズルカバー
４０１ａ  噴出孔
４０３  一流路管
４０４  流路合流部
ＮＶ  切り欠き
ＳＨ  シャッタ
【図１】
2005030093.tif 000003
【図２】
2005030093.tif 000004
【図３】
2005030093.tif 000005
【図４】
2005030093.tif 000006
【図５】
2005030093.tif 000007
【図６】
2005030093.tif 000008
【図７】
2005030093.tif 000009
【図８】
2005030093.tif 000010
【図９】
2005030093.tif 000011
【図１０】
2005030093.tif 000012
【図１１】
2005030093.tif 000013
【図１２】
2005030093.tif 000014
【図１３】
2005030093.tif 000015
【図１４】
2005030093.tif 000016
【図１５】
2005030093.tif 000017
【図１６】
2005030093.tif 000018
【図１７】
2005030093.tif 000019
【図１８】
2005030093.tif 000020
【図１９】
2005030093.tif 000021
【図２０】
2005030093.tif 000022
【図２１】
2005030093.tif 000023
【図２２】
2005030093.tif 000024
【図２３】
2005030093.tif 000025
【図２４】
2005030093.tif 000026
【図２５】
2005030093.tif 000027